(57)【要約】  電子リーダーデバイスは、調節可能ＲＧＢＷ前面光源及び周辺光センサを有する。それに加えて当該電子リーディングデバイスは、前記周辺光からの輝度レベルに相当する信号を受け、現在のスクリーン色温度に相当する信号を受け、前記輝度レベル又は前記現在のスクリーン色温度のうちの少なくとも一に基づいて所定の混合光を計算するように構成される回路を有する。前記計算により、前記現在のスクリーン色温度は、前記輝度レベルにかかわらず同一のままとなり、前記調節可能ＲＧＢＷ前面光によって前記所定の混合光を表示することが可能となる。
2019526830.tif 000002
【特許請求の範囲】
【請求項１】
調節可能ＲＧＢＷ前面光源、
周辺光センサ、及び
回路を有するデバイスであって、
前記回路は、前記周辺光からの輝度レベルに相当する信号を受け、現在のスクリーン色温度に相当する信号を受け、前記輝度レベル又は前記現在のスクリーン色温度のうちの少なくとも一に基づいて所定の混合光を計算するように構成され、
前記計算により、前記現在のスクリーン色温度は、前記輝度レベルにかかわらず同一のままとなり、前記調節可能ＲＧＢＷ前面光源によって前記所定の混合光を表示することが可能となる、
デバイス。
【請求項２】
請求項１に記載のデバイスであって、
前記現在のスクリーン色温度は、１日のうちの時間に基づいて自動的に変化し、
前記所定の混合光は、前記現在のスクリーン色温度に応じて変化する、
デバイス。
【請求項３】
請求項１に記載のデバイスであって、
前記輝度レベルは、１日のうちの時間に基づいて自動的に変化し、
前記現在のスクリーン色温度が前記輝度レベルの変化に応じて変化しない一方で、前記所定の混合光は、前記輝度レベルの変化に応じて変化する、
デバイス。
【請求項４】
請求項１に記載のデバイスであって、
前記現在のスクリーン色温度は、１５００Ｋ乃至６４００Ｋを含み、
前記現在のスクリーン色温度の各々は、各輝度レベルについて対応するＲＧＢＷ値を有する、
デバイス。
【請求項５】
請求項４に記載のデバイスであって、
前記現在のスクリーン色温度の各々は、各輝度レベルについて対応するＲＧＢＷ値を有し、
前記現在のスクリーン色温度のいずれも、いずれの輝度レベルについてＲＧＢＷ値を有するように、前記輝度レベルは、０％の輝度乃至１００％の輝度を含む、
デバイス。
【請求項６】
請求項１に記載のデバイスであって、前記所定の混合光は、前記スクリーン色温度が同一であるときに輝度の変化が前記ユーザーにとって明らかにならないように、前記調節可能なＲＧＢＷ前方光によってリアルタイムで表示される、デバイス。
【請求項７】
ＲＧＢＷ前面光源を用いたスクリーン色温度制御方法であって、
電子リーダーデバイス内に設けられた周辺光センサから輝度レベルに相当する信号を受ける段階、
前記電子リーダーデバイスのディスプレイ上に表示される現在のスクリーン色温度に相当する信号を受ける段階、
前記輝度レベル又は前記現在のスクリーン色温度のうちの少なくとも一に基づいて所定の混合光を計算することで前記輝度レベルにかかわらず前記現在のスクリーン色温度を同一に保持する段階、
調節可能ＲＧＢＷ前面光源によって前記所定の混合光を表示する段階、
を有する方法。
【請求項８】
請求項７に記載の方法であって、
前記現在のスクリーン色温度は、１日のうちの時間に基づいて自動的に変化し、
前記所定の混合光は、前記現在のスクリーン色温度に応じて変化する、
方法。
【請求項９】
請求項７に記載の方法であって、
前記輝度レベルは、１日のうちの時間に基づいて自動的に変化し、
前記現在のスクリーン色温度が前記輝度レベルの変化に応じて変化しない一方で、前記所定の混合光は、前記輝度レベルの変化に応じて変化する、
方法。
【請求項１０】
請求項７に記載の方法であって、
前記現在のスクリーン色温度は、１５００Ｋ乃至６４００Ｋを含み、
前記現在のスクリーン色温度の各々は、各輝度レベルについて対応するＲＧＢＷ値を有する、
方法。
【請求項１１】
請求項１０に記載の方法であって、
前記現在のスクリーン色温度の各々は、各輝度レベルについて対応するＲＧＢＷ値を有し、
前記現在のスクリーン色温度のいずれも、いずれの輝度レベルについてＲＧＢＷ値を有するように、前記輝度レベルは、０％の輝度乃至１００％の輝度を含む、
方法。
【請求項１２】
請求項７に記載の方法であって、前記所定の混合光は、前記スクリーン色温度が同一であるときに輝度の変化が前記ユーザーにとって明らかにならないように、前記調節可能なＲＧＢＷ前方光によってリアルタイムで表示される、方法。
【請求項１３】
調節可能ＲＧＢＷ前面光源、周辺光センサ、及び回路を有する電子リーダーデバイスであって、
前記回路は、夜間状態、日の出遷移状態、日中状態、及び日没遷移状態を含む状態間での遷移が起こったのか否かを判断し、前記状態間での遷移に応じて前記調節可能ＲＧＢＷ前面光源によって所定のスクリーン色温度を自動的に表示し、輝度レベルが変化したのか否かを判断し、かつ、前記スクリーン色温度が前記の変化する輝度レベルに応じて変化しないように前記調節可能ＲＧＢＷ前面光源によって表示される所定の混合光を自動調節する、
電子リーダーデバイス。
【請求項１４】
請求項１３に記載の電子リーダーデバイスであって、
前記夜間状態は、就寝時間から所定の日の出までで、
前記就寝時間は、初期設定又はユーザーによって手動選択され、
前記夜間状態の所定のスクリーン色温度は１９００Ｋで、
前記所定の日の出は、１日のうちの手動選択された時間、初期設定、又は、１年を通じて変化する日の出の時間に対応して自動調節される設定を含み、
前記日の出遷移状態は、前記所定の日の出から前記日中状態の開始までで、その際前記所定のスクリーン色温度が、前記日の出遷移状態の開始時での１９００Ｋから前記日中状態の開始時での６４００Ｋへ遷移し、
前記日没遷移状態は、前記所定の日没遷移状態から前記就寝時間までで、
前記就寝時間は、前記夜間状態の開始で、その際前記所定のスクリーン色温度が、前記日没遷移状態の開始時での６４００Ｋから前記日没遷移状態の開始時での１９００Ｋへ遷移する、
電子リーダーデバイス。
【請求項１５】
請求項１３に記載の電子リーダーデバイスであって、前記回路はさらに、現在の状態が前記日の出遷移状態であるか否かを判断し、第１所定の変化率で前記スクリーン色温度を自動的に増大させ、前記現在の状態が前記日没遷移状態であるか否かを判断し、かつ、第２所定の変化率で前記スクリーン色温度を自動的に減少させるように構成される、電子リーダーデバイス。
【請求項１６】
請求項１３に記載の電子リーダーデバイスであって、前記回路はさらに、前記夜間状態の開始に対応前記就寝時間を受け、前記スクリーン色温度が前記日没遷移状態中に手動調節されるか否かを判断し、前記スクリーン色温度が前記の選択された就寝時間の１時間以内に手動増大するか否かを判断し、前記スクリーン色温度が前記の選択された就寝時間の１時間以内に手動増大するときに前記の選択された就寝時間を１時間遅らせ、前記スクリーン色温度が前記日没遷移状態中に手動減少するか否かを判断し、かつ、前記の手動調節されたスクリーン色温度からの前記日没遷移での遷移を継続するように構成される、電子リーダーデバイス。
【請求項１７】
請求項１３に記載の電子リーダーデバイスであって、前記回路はさらに、前記スクリーン色温度が前記日没遷移状態中に手動増大するか否かを判断し、前記スクリーン色温度が前記日の出遷移状態中に手動減少するか否かを判断し、前記スクリーン色温度が前記日の出遷移中に手動減少するときに前日中状態の開始を１時間遅らせ、かつ、前記の手動調節されたスクリーン色温度からの前記日の出状態での遷移を継続するように構成される、電子リーダーデバイス。
【請求項１８】
請求項１３に記載の電子リーダーデバイスであって、前記回路はさらに、前記スクリーン色温度が前記日中状態中に手動調節されるか否かを判断し、前記日中状態が終了するまで前記の手動調節されたスクリーン色温度を表示し、かつ、前記日没遷移状態の開始点を前記の手動調節されたスクリーン色温度にするように構成される、電子リーダーデバイス。
【請求項１９】
請求項１３に記載の電子リーダーデバイスであって、前記回路はさらに、前記スクリーン色温度が前記夜間状態中に手動調節されるか否かを判断し、前記夜間状態が終了するまで前記の手動調節されたスクリーン色温度を表示し、かつ、前記日の出遷移状態の開始点を前記の手動調節されたスクリーン色温度にするように構成される、電子リーダーデバイス。
【請求項２０】
請求項１３に記載の電子リーダーデバイスであって、前記回路はさらに、前記スクリーン色温度が１９００Ｋ未満に手動調節されるか否かを判断し、次の日の出遷移が開始するまで前記の手動調節されたスクリーン色温度を表示し、かつ、前記次の日の出遷移の開始点を前記の手動調節されたスクリーン色温度にするように構成される、電子リーダーデバイス。
【発明の詳細な説明】
【技術分野】
【０００１】
本願は、ＲＧＢＷ前面光を用いてスクリーン色温度を制御するシステム及び方法に関する。
【０００２】
本願は、２０１６年８月１６日に出願された米国仮出願第６２／３７５７４５号の利益を主張する。関連出願である米国特許出願第１４／２３１１４３号、第１４／２３１３９６号、第４７５２７７号、第４７５２７４号、第４７５２７５号、第４７５２８０号、第４７５２８２号、及び第４７５２８３号はそのすべてが参照によって組み込まれる。
【背景技術】
【０００３】
本願で与えられる「背景技術」は、本開示の文脈を概略的に与えることを目的とする。この背景技術で説明されている範囲での現時点で名前が記載されている発明者の仕事は、出願時での従来技術として述べられていない記載の態様同様、本発明に対する従来技術としては明示的にも暗示的にも認められない。
【０００４】
電子リーダー−ｅリーダーデバイスとしても知られている−は、電子書籍（ｅブック）、電子辞書、及び他のデジタルコンテンツを読むのに用いられる電子個人向け表示装置である。たとえば電子書籍のデジタルコンテンツは、電子リーダーの表示装置上で英数字及び／又はグラフィック画像として表示される。その表示においては、ユーザーは紙ベースの書籍の印刷頁のアナログコンテンツを読むのとほとんど同じようにデジタルコンテンツを読むことができる。電子リーダーデバイスは、従来の紙形式では大きな空間容量をとる可能性のある大容量のデジタルコンテンツ格納、移送、及び閲覧する便利な形式を供する。
【発明の概要】
【発明が解決しようとする課題】
【０００５】
前段落は、概略的な導入として供されており、以降の請求項の技術的範囲を限定することを意図されていない。記載される実施形態は、さらなる利点と共に、添付図面と共に以降の詳細な説明を参照することによって最もよく理解される。
【課題を解決するための手段】
【０００６】
開示された対象の態様によると、電子リーダーデバイスは、調節可能ＲＧＢＷ前面光、周辺光センサ、及び、前記周辺光からの輝度レベルに相当する信号を受け、現在のスクリーン色温度に相当する信号を受け、前記輝度レベル又は前記現在のスクリーン色温度のうちの少なくとも一に基づいて所定の混合光を計算するように構成される回路を有する。前記計算により、前記現在のスクリーン色温度は、前記輝度レベルにかかわらず同一のままとなり、前記調節可能ＲＧＢＷ前面光によって前記所定の混合光を表示することが可能となる。
【図面の簡単な説明】
【０００７】
本開示のより完全な理解及びそれに付随する利点の多くは、以降の詳細な説明を、関連する添付図面を検討しながら参照することでよりよく理解されることで、容易に得られる。
【図１Ａ】開示された対象の１つ以上の態様による電子リーダーデバイスの前方から見た概略図を表す。
【図１Ｂ】開示された対象の１つ以上の態様による電子リーダーデバイスの後方から見た概略図を表す。
【図２】開示された対象の１つ以上の態様による電子読書活動を改善する情報処理デバイス動作システムを表す。
【図３Ａ】開示された対象の１つ以上の態様による前方光源を有するｅリーダーデバイスの代替例を表している。
【図３Ｂ】開示された対象の１つ以上の態様による前方光源を有するｅリーダーデバイスの代替例を表している。
【図４Ａ】開示された対象の１つ以上の態様による輝度制御及び自然光制御に関する典型的な輝度及び自然光のグラフィカルユーザーインターフェース（ＧＵＩ）を表している。
【図４Ｂ】開示された対象の１つ以上の態様による輝度制御及び自然光制御に関する典型的な輝度及び自然光のグラフィカルユーザーインターフェース（ＧＵＩ）を表している。
【図４Ｃ】開示された対象の１つ以上の態様による輝度制御及び自然光制御に関する典型的な輝度及び自然光のグラフィカルユーザーインターフェース（ＧＵＩ）を表している。
【図５Ａ】開示された対象の１つ以上の態様による典型的な就寝時間選択ＧＵＩ及び省電力ＧＵＩを表している。
【図５Ｂ】開示された対象の１つ以上の態様による典型的な就寝時間選択ＧＵＩ及び省電力ＧＵＩを表している。
【図５Ｃ】開示された対象の１つ以上の態様による典型的な就寝時間選択ＧＵＩ及び省電力ＧＵＩを表している。
【図６Ａ】開示された対象の１つ以上の態様による図４Ｃの「さらに表示する」部分との相互作用の結果を表している。
【図６Ｂ】開示された対象の１つ以上の態様による図４Ｃの「さらに表示する」部分との相互作用の結果を表している。
【図６Ｃ】開示された対象の１つ以上の態様による典型的なクイックツアーページを表している。
【図７Ａ】開示された対象の１つ以上の態様によるユーザーへ表示された典型的な自動化メッセージを表している。
【図７Ｂ】開示された対象の１つ以上の態様による典型的なホームスクリーンを表している。
【図８Ａ】開示された対象の１つ以上の態様による一のユーザー入力に応じた自動輝度機能の例を表している。
【図８Ｂ】開示された対象の１つ以上の態様による一のユーザー入力に応じた自動輝度機能の例を表している。
【図８Ｃ】開示された対象の１つ以上の態様による一のユーザー入力に応じた自動輝度機能の例を表している。
【図９】開示された対象の１つ以上の態様による電子書籍デバイスのディスプレイスクリーンを明るくする典型的なデバイスシステムを表している。
【図１０Ａ】開示された対象の１つ以上の態様による２つのユーザー入力に応じた自動輝度機能の例を表している。
【図１０Ｂ】開示された対象の１つ以上の態様による２つのユーザー入力に応じた自動輝度機能の例を表している。
【図１０Ｃ】開示された対象の１つ以上の態様による２つのユーザー入力に応じた自動輝度機能の例を表している。
【図１１Ａ】開示された対象の１つ以上の態様による周辺光のゆっくりとした変化に応じた自動輝度機能の例を表している。
【図１１Ｂ】開示された対象の１つ以上の態様による周辺光の急激な変化に応じた自動輝度機能の例を表している。
【図１２Ａ】開示された対象の１つ以上の態様による１日の時間に基づく自動スクリーン色温度制御の例を表している。
【図１２Ｂ】開示された対象の１つ以上の態様による１日の時間に基づく自動スクリーン色温度制御の例を表している。
【図１２Ｃ】開示された対象の１つ以上の態様による１日の時間に基づく自動スクリーン色温度制御の例を表している。
【図１３Ａ】開示された対象の１つ以上の態様による日没の遷移中でのユーザーのスクリーン色温度の手動調節に応じた自動スクリーン色温度制御の例を表している。
【図１３Ｂ】開示された対象の１つ以上の態様による日没の遷移中でのユーザーのスクリーン色温度の手動調節に応じた自動スクリーン色温度制御の例を表している。
【図１３Ｃ】開示された対象の１つ以上の態様による日没の遷移中でのユーザーのスクリーン色温度の手動調節に応じた自動スクリーン色温度制御の例を表している。
【図１４Ａ】開示された対象の１つ以上の態様による日の出の遷移中でのユーザーのスクリーン色温度の手動調節に応じた自動スクリーン色温度制御の例を表している。
【図１４Ｂ】開示された対象の１つ以上の態様による日の出の遷移中でのユーザーのスクリーン色温度の手動調節に応じた自動スクリーン色温度制御の例を表している。
【図１５Ａ】開示された対象の１つ以上の態様による日中でのユーザーのスクリーン色温度の手動調節に応じた自動スクリーン色温度制御の例を表している。
【図１５Ｂ】開示された対象の１つ以上の態様による夜間でのユーザーのスクリーン色温度の手動調節に応じた自動スクリーン色温度制御の例を表している。
【図１６】開示された対象の１つ以上の態様による１日の任意の時間でのユーザーによるスクリーン色温度の１９００Ｋ未満への手動調節に応じた自動スクリーン色温度制御の例を表している。
【図１７】開示された対象の１つ以上の態様による１日の任意の時間での１９００Ｋよりも低いスクリーン色温度の上限輝度を表している。
【図１８】開示された対象の１つ以上の態様による調節可能なＲＧＢＷ前方光によって表示される典型的なスクリーン色温度及び対応するＲＧＢＷ値を表している。
【図１９Ａ】開示された対象の１つ以上の態様によるディスプレイスクリーン上に投射される光の照明状態を変化させることが可能な電子書籍デバイスの例を表している。
【図１９Ｂ】開示された対象の１つ以上の態様によるディスプレイスクリーン上に投射される光の照明状態を変化させることが可能な電子書籍デバイスの例を表している。
【図１９Ｃ】開示された対象の１つ以上の態様によるディスプレイスクリーン上に投射される光の照明状態を変化させることが可能な電子書籍デバイスの例を表している。
【図１９Ｄ】開示された対象の１つ以上の態様によるディスプレイスクリーン上に投射される光の照明状態を変化させることが可能な電子書籍デバイスの例を表している。
【図２０】開示された対象の１つ以上の態様による典型的な表を表している。前記表中、輝度レベルの範囲は、任意の輝度レベルで調和してスクリーン色温度を表示する特定の色温度についての対応するＲＢＧＷ値を有してよい。
【図２１】開示された対象の１つ以上の態様によるｅリーダーデバイスのディスプレイ表面上に光を投射するように供される照明部の状態を制御する典型的な方法を表している。
【図２２】開示された対象の１つ以上の態様による輝度レベルに基づくスクリーン色温度を表示する方法のアルゴリズムフローチャートである。
【図２３】開示された対象の１つ以上の態様による１日の時間に基づいたスクリーン色温度の自動調節方法のアルゴリズムフローチャートである。
【図２４】開示された対象の１つ以上の態様による日没の遷移中でのスクリーン色温度の自動調節方法のアルゴリズムフローチャートである。
【図２５】開示された対象の１つ以上の態様による日没の遷移中でのスクリーン色温度の手動調節に応じた自動スクリーン色温度制御方法のアルゴリズムフローチャートである。
【図２６】開示された対象の１つ以上の態様による日の出遷移中での自動スクリーン色温度制御方法のアルゴリズムフローチャートである。
【図２７】開示された対象の１つ以上の態様による日中での自動スクリーン色温度制御方法のアルゴリズムフローチャートである。
【図２８】開示された対象の１つ以上の態様による夜間での自動スクリーン色温度制御方法のアルゴリズムフローチャートである。
【図２９】開示された対象の１つ以上の態様によるスクリーン色温度が手動で１９００Ｋ未満に調節されるときの自動スクリーン色温度制御方法のアルゴリズムフローチャートである。
【図３０】開示された対象の１つ以上の態様による１つのユーザー入力に応じた自動輝度制御方法のアルゴリズムフローチャートである。
【図３１】開示された対象の１つ以上の態様による２つのユーザー入力に応じた自動輝度制御方法のアルゴリズムフローチャートである。
【図３２】開示された対象の１つ以上の態様による周辺光の急激な変化に応じた自動輝度制御方法のアルゴリズムフローチャートである。
【図３３】開示された対象の１つ以上の態様による本開示のある態様による典型的なユーザーデバイスを表す詳細なブロック図である。
【発明を実施するための形態】
【０００８】
添付図面と関連させながら以降からの説明は、開示された対象の様々な実施形態の説明として意図され、必ずしも最適の（複数の）実施形態を表すことを意図していない。ある場合では、説明は、開示された対象を理解する目的についての具体的詳細を含む。しかし実施形態はこれらの具体的詳細がなくても実施可能であることは当業者には明らかである。場合によっては、開示された対象の基本概念が曖昧になるのを回避するため、周知の構造及び構成要素はブロック図の形式で示されることがある。
【０００９】
明細書中の「一の実施形態」又は「ある実施形態」と言及するのは、ある実施形態に関連して説明される特定の特徴、構造、特性、動作、又は機能が、開示された対象の少なくとも１つの実施形態に含まれることを意味する。よって明細書中の「一の実施形態」又は「ある実施形態」という語句が出てきても、必ずしも同一の実施形態を参照しているわけではない。さらにその特定の特徴、構造、特性、動作、又は機能は１つ以上の実施形態中において任意の適切な方法で組み合わせられてよい。さらに開示された対象の実施形態は説明した実施形態の修正型及び変化型を網羅できることを意図している。
【００１０】
明細書及び特許請求の範囲で用いられているように、明示的に複数形で表記されていなくても複数形を含むことに留意しなければならない。つまり明示的に複数形で表記されていなければ、「１つ以上」を意味する。それに加えて明細書中で用いられる「左」、「右」、「上」、「下」、「前」、「後ろ」、「側部」、「高さ」、「長さ」、「幅」、「上方」、「下方」、「内部」、「外部」、「外側」、「内側」等は、地点について述べているだけであり、必ずしも開示された対象の実施形態を特定の配置又は構成に限定するものではない。さらに「第１」、「第２」、「第３」等の語句は単に、明細書中に記載された部品、構成要素、参照地点、動作、及び／又は機能の数を特定しているだけで、必ずしも開示された対象の実施形態を特定の配置又は構成に限定するものではない。
【００１１】
ここで図面を参照する。図中同様の参照番号は同一または対応の部品を表す。
【００１２】
図１Ａと図１Ｂは、開示された対象の１つ以上の態様による、電子リーダーデバイス１１０の前方から見た図と、電子リーダーデバイス１１０の後方から見た図を含む概略図を表す。
【００１３】
電子リーダーデバイス（ｅリーダー等としても知られている−）は、電子書籍（ｅＢｏｏｋ）、電子雑誌、及び他のデジタルコンテンツを読むのに用いられる電子パーソナルディスプレイである。たとえば電子書籍のデジタルコンテンツは、ユーザーが紙ベースの本における印刷された頁のアナログコンテンツを読むのと同じようにデジタルコンテンツを読むことができるように、ｅリーダーのディスプレイ上においてアルファベットと数字からなる文字及び／又はグラフィック画像として表示される。ｅリーダーは、伝統的な紙フォーマットであれば大容量の空間をとってしまう可能性のある大規模なデジタルコンテンツのコレクションを蓄積、移送、及び閲覧するのに便利なフォーマットを提供する。
【００１４】
場合によっては、ｅリーダーは、特に可読コンテンツの表示を良好に実行するように設計された専用デバイスである。たとえば、専用ｅリーダーは、まぶしさを抑制し、高光量条件下で良好に機能し、かつ／あるいは、実際の紙上での文字の見栄えに似たディスプレイを含んでよい。そのような専用ｅリーダーはユーザーが読むコンテンツの表示に優れている一方で、他の機能−中でもたとえば画像の表示、音声の発出、音声の記録、及びウェブサーフィン−を実行することもできる。
【００１５】
それに加えて、ネットワークサービスからサービスや資源を受信できるコンシューマデバイスも多種存在する。そのようなデバイスは、アプリケーションを動作させ、又は、そのデバイスを特定のサービスの具体的なアカウントに結び付ける他の機能を提供することが可能である。たとえばｅリーダーデバイスは一般的にオンライン書店に接続し、かつ、メディア再生デバイスは通常、ユーザーがオンラインメディアライブラリへアクセスすることを可能にするアプリケーションを有する。この状況では、ユーザーカウントによって、そのユーザーは、そのデバイスのすべての利点と機能を受け取ることが可能となり得る。
【００１６】
電子リーダーデバイス１１０は、ある実施形態に従って電子読書活動を改善し得る。電子リーダーデバイス１１０は、後述する電子ディスプレイデバイス及びネットワークサービスを有してよい。ネットワークサービスは、ｅリーダーデバイス上にインストールされる１つ以上のアプリケーションに関連して様々なサービスを提供する複数のサーバー及び他の情報処理資源を含んでよい。例として一の実施形態では、ネットワークサービスは、ｅリーダーデバイスと通信する電子書籍サービスを提供してよい。ネットワークサービスを介して提供される電子書籍サービスはたとえば、電子書籍が販売され、共有され、ダウンロードされ、かつ／あるいは格納されるサービスを含んでよい。より一般的には、ネットワークサービスは、コンテンツレンダリングサービス（たとえばストリーミングメディア）又は他のネットワーク環境若しくはサービスを含む様々な他のコンテンツサービスを提供してよい。
【００１７】
ｅリーダーデバイス１１０は、アプリケーション及びアプリケーション資源（たとえば電子書籍、メディアファイル、ドキュメント）がレンダリング及び購入できる電子パーソナルディスプレイデバイスに相当してよい。たとえばｅリーダーデバイス１１０は、タブレット又は電話／メッセージ送受信デバイス（たとえばスマートフォン）に相当し得る。一の実施形態ではたとえば、ｅリーダーデバイス１１０は、前記デバイスをネットワークサービスへ接続し、かつ、前記サービスを介して供される電子書籍の閲覧と購入を可能にする電子リーダーアプリケーションを実行し得る。他の実施形態では、ｅリーダーデバイス１１０は、ネットワークサービスからファイル又はストリーミングデータを受信するメディア再生又はストリーミングアプリケーションを実行してよい。例として、ｅリーダーデバイス１１０には、あるアプリケーションの動作−たとえば電子コンテンツ（たとえば電子書籍）のレンダリング−を最適化するハードウエア及びソフトウエアが備えられてよい。たとえばｅリーダーデバイス１１０はタブレットのような形状因子を有してよいが、変化型も可能である。場合によっては、ｅリーダーデバイス１１０は電子インクディスプレイを有してもよい。
【００１８】
さらなる詳細では、ネットワークサービスは、デバイスインターフェース、資源格納部、及びユーザーカウント格納部を有してよい。ユーザーカウント格納部は、ユーザー及びアカウントをｅリーダーデバイスに関連付けてよい。アカウントはまた、資源格納部内に格納され得る１つ以上のアプリケーション資源（たとえば電子書籍）に関連付けられてもよい。さらに説明するように、ユーザーカウント格納部は、所与のアカウントで購入された、又は、購入できるようになった資源を特定するため、個々のアカウントのメタデータを保持してよい。ｅリーダーデバイス１１０はユーザーカウントに関連付けられてよく、かつ、複数のデバイスが同一のアカウントに関連付けられて良い。以降で詳述するように、ｅリーダーデバイス１１０は、購入又はｅリーダーデバイス１１０のユーザーが利用可能となった資源（たとえば電子書籍）を格納するだけではなく、ユーザーカウント１２５で購入されたが特定の情報処理デバイスに格納されていない電子書籍及び他のデジタルコンテンツアイテムをアーカイブしてよい。
【００１９】
図２は、開示された対象の１つ以上の態様による電子読書活動を改善する情報処理デバイス（たとえばｅリーダーデバイス１１０）の動作システムを表す。ｅリーダーデバイス１１０は、上に選択された電子書籍からのテキストコンテンツがレンダリング可能なディスプレイスクリーン１０８を有する筐体１０６を含む。ｅリーダーデバイス１１０はまた、ディスプレイスクリーン１０８用の別個の又は独立した照明部１１８をも有する。本願で供される一部の例では、照明部１１８は、前方光源（たとえば調節可能なＲＧＢＷ前方光）として供される。照明部１１８は、筐体のベゼル又は厚み部分からディスプレイ表面１０８へ導光する。照明部１１８はスクリーンの側部に限定されないことに留意しなければならない。たとえば照明部１１８は、以降で説明するように、調節可能なＲＧＢＷ前方光源で見えるように、スクリーン底部に設けられてよい。
【００２０】
ディスプレイ領域１０８は、入力機能が供されるか、あるいは有効になるディスプレイ組立体のタッチ感受性部として構成されてよい。例として入力機能は、柔らかいボタン又は隠れたタッチ領域を有して良い。柔らかいボタン又は隠れたタッチ領域では、ユーザーは、電子書籍からの頁をめくる、（辞書機能を利用して）単語を調べること等が可能である。
【００２１】
一部の例によると、照明部１１８は、視覚効果を生じさせるため、ディスプレイスクリーン１０８を独立して照明する。視覚効果はたとえば、（たとえば電子ペーパー型ディスプレイによって供される）照明されていないスクリーンに相当してよい。照明部にはさらに特性−たとえば光度、色、及び／又は他の照明効果−が供されてよい。
【００２２】
ｅリーダーデバイス１１０は、前面光照明部１１８の１つ以上の照明態様を制御する照明制御論理回路１１２を有してよい。例で説明されているように、制御論理回路１１２は、色、光度、照明効果（たとえば点滅又は変調）、又は他の照明特性のうちの１つ以上を制御してよい。さらに一部の変化型では、制御論理回路１１２は、トリガに応答するように照明部１１８を制御する。様々な例で説明されているように、照明部１１８は、ソフトウエアに実装されたトリガ、センサに実装されたトリガ、及び／又はハードウエア構成要素関連トリガに応答してよい。それに加えて照明部１１８は、ｅリーダーデバイス１１０との相互作用を介してユーザーによって狂される設定及び／又は入力に応答してよい。例で説明されているように、制御論理回路１１２は、照明部１１８の照明態様を制御する一方で、ディスプレイスクリーン１０８は、コンテンツ−たとえば電子書籍の頁−をレンダリングするのに用いられる。このようにして、照明部１１８は、ディスプレイスクリーン１０８に表示されるコンテンツとは独立に雰囲気、照明環境、及び／又は状態に関する情報を生成してよい。
【００２３】
一の実施形態によると、照明部１１８は、ｅリーダーデバイス１１０の筐体１０６内に設けられる発光ダイオード（ＬＥＤ）又は他の別個の光源として供される。前方光源１１８は、色、光度、及び／又は影響を変調させるようにプログラム制御可能であってよい。照明部１１８の方位は、ディスプレイスクリーンによってレンダリングされるコンテンツとは独立にディスプレイスクリーン１０８へ光を導光する。図３Ａ及び図３Ｂの例で示されているように、照明部１１８を有する光源は、ディスプレイスクリーン１０８へ光を投射するように筐体１０６のベゼル内に設けられてよい。
【００２４】
電子リーダーデバイスは、前方光源、より具体的には調節可能なＲＧＢＷ前方光源を有してよい。それに加えて電子リーダーデバイスは、ある範囲の寸法を有してよい。しかし電子リーダーデバイスの奥行きは７ｍｍ未満であってよい。より具体的には、電子リーダーデバイスの奥行きは、参照によって組み込まれた特許文献（米国特許第４７５２８０号）−で説明されているように少なくとも部分的には構造設計上の理由により６．９９ｍｍであってよい。
【００２５】
図３Ａ及び図３Ｂは、開示された対象の１つ以上の態様による前方光源を有するｅリーダーデバイス１１０の代替例を表している。より詳細には、図３Ａ及び図３Ｂのｅリーダーデバイス２００は、ディスプレイスクリーン２０８を支持する筐体２０６を有してよい。ディスプレイスクリーン２０８はディスプレイの外側表面を構成してよい。たとえばｅペーパー型のディスプレイでは、ディスプレイスクリーン２０８は、読者に視覚上のインターフェースを供し、かつ、ディスプレイスクリーン２０８を介して供されるコンテンツは照明されなくてよい。
【００２６】
筐体２０６は、ディスプレイスクリーン２０８を取り囲むベゼル２０７、及び、ディスプレイスクリーン２０８に対する厚み部分を供する。ベゼル２０７は、別個の光源を支持する構造を供してよい。たとえばＬＥＤ２０９Ａ（図３Ａ）とＬＥＤ２０９Ｂ（図３Ｂ）の組の少なくとも一部は、ディスプレイスクリーン２０８上に光２０１を導光するように、ベゼル２０７の内部に設けられてよい。
【００２７】
図３Ａ及び図３Ｂの例では、ＬＥＤ２０９ＡとＬＥＤ２０９Ｂは、複数の状態（たとえばオン／オフ、点滅、パターンを有する点滅）及び／又は複数の光度状態（たとえば暗い／明るい）で動作可能であってよい。それに加えて図３Ｂの例では、ＬＥＤ２０９Ｂは、多色で照明可能となるように多色である。たとえばＬＥＤ２０９Ｂは、多色のうちの一色のディスプレイスクリーン２０８の照明を生成するＲＧＢＷのＬＥＤに対応してよい。ＬＥＤ２０９Ａ（図３Ａ）とＬＥＤ２０９Ｂ（図３Ｂ）の状態及び／又は色は、処理装置の制御によって決定されてよい。特に例で説明されているように、処理装置は、ＬＥＤ２０９ＡとＬＥＤ２０９Ｂの状態変化を引き起こす事象及び／又は条件を特定してよい。
【００２８】
図４Ａ乃至図４Ｃは、開示された対象の１つ以上の態様による輝度制御及び自然光制御に関する典型的な輝度及び自然光のグラフィカルユーザーインターフェース（ＧＵＩ）を表している。より詳細には、図４Ｃでは、輝度制御は、自動輝度調節のオンとオフとを切り換える自動輝度スイッチ４０５を有してよい。それに加えて輝度スライダー４１０は、輝度レベルの範囲（たとえば０％〜１００％）内で輝度レベルを調節してよい。自然光グラフィカルユーザーインターフェースは、自動自然光のオンとオフとを切り換える自動自然光スイッチ４１５を有してよい。それに加えて自然光スライダー４２０は、自然光レベルの範囲（たとえば１５００Ｋ〜６４００Ｋ）内で自然光レベルを調節してよい。輝度及び自然光ＧＵＩはまた、自然光の設定に関するさらなる情報を備えるダイアログを現す「さらに表示する」部４２５を有する。
【００２９】
図５Ａ乃至図５Ｃは、開示された対象の１つ以上の態様による典型的な就寝時間選択ＧＵＩ及び省電力ＧＵＩを表している。より詳細には、図５Ａでは、就寝時間設定ＧＵＩは、午後９時から午前３時までの就寝時間を３０分刻みで選択するように就寝時間ドロップダウンリスト５０５を表示してよい。より短い時間間隔もより長い時間間隔も利用可能である。あるいはそのかわりに又はそれに加えて、２４時間時計が用いられてもよい。自動自然光スイッチ４１５（図４Ｃ参照）がオフの位置にあるとき、就寝時間ドロップダウンリストは図５Ｂのように隠されてよい。図５Ｃでは、省電力ＧＵＩ５１０は、スリープタイマー、電源オフタイマー、明るい日光選択部における自動消光等を含む様々な省電力選択肢を有してよい。
【００３０】
図６Ａ及び図６Ｂは、開示された対象の１つ以上の態様による図４Ｃの「さらに表示する」部分４２５との相互作用の結果を表している。図６Ａ及び図６Ｂのダイアログは、自然光設定に関する情報を有する。
【００３１】
図６Ｃは、開示された対象の１つ以上の態様による典型的なクイックツアーページを表している。図６Ｃのダイアログは、自然光設定に関する情報を有する。
【００３２】
図７Ａは、開示された対象の１つ以上の態様によるユーザーへ表示された典型的な自動化メッセージ７０５を表している。自動化メッセージは、有効部分７１０を選択することによって自動自然光機能を有効にする選択肢を供する。ユーザーが自動化メッセージを閉じて、自動自然光が１周間超オフになったとき、又は、ユーザーが自動自然光をオフにして３回自然光設定を調節したとき、自動化メッセージは、再度示されてよい。自動自然光機能を有効にする選択によって、自動自然光機能がオンになり、自動化メッセージは閉じられる。「今はしない」部分７１５の選択又は自動化メッセージのディスプレイの外側をタップすることで、変更なく自動化メッセージは閉じられる。
【００３３】
図７Ｂは、開示された対象の１つ以上の態様による典型的なホームスクリーンを表している。典型的なホームスクリーンは、自然光機能に関する光情報タイル７２０を有する。
【００３４】
図８Ａ乃至図８Ｃは、開示された対象の１つ以上の態様による一のユーザー入力に応じた自動輝度機能の例を表している。特に一部の例は、プログラム制御された前方光源を有する情報処理デバイスを供する。前方光源は、照明及び／若しくは発光効果を供する目的で情報処理デバイスのディスプレイ表面並びに／又は他の領域に光を投射する。本願で述べた例は、前方光成分の状態変化−色、光度、及び／又は照明効果の変化の制御を含む−をプログラムによって制御し得る情報処理デバイスを供する。
【００３５】
さらに一部の実施形態では、情報処理デバイスは、該情報処理デバイスの前方光の１つ以上の所定の照明トリガを検出するように動作可能である。前方光の状態は、検出された１つ以上の所定の照明トリガに基づき、かつ、前方光は、選択された状態へ変化するように制御される。
【００３６】
図８Ａは、自動輝度モードを表している。自動輝度モードでは、自動輝度スイッチ４０５（図４Ｃ参照）がオンになり、かつ、ユーザー入力が受信されない。スクリーン輝度８０５は、周辺光センサによって検出される周辺光レベルよりも５％高く設定される。周辺光レベルが１００％に到達する場合、（たとえば図９で説明されているような）前方光は自動的にオフになってよい。これは、省電力を含む様々な利点を供することができる。以降で説明するように、周辺光レベルがどれだけ迅速に１００％に到達するのかに関する遷移はなめらかであってよい。換言すると、図８Ａは、測定された周辺光レベルとそのレベルで適用された光の輝度設定との間での設定当初の関係を示し得る。
【００３７】
図８Ｂは、図８Ａに示された初期設定時の輝度レベルを超える好適輝度レベル（たとえばユーザー１の輝度８１０、ユーザー２の輝度８１５、ユーザー１の輝度８２０）に輝度レベルをユーザーが設定する例を表している。周辺光が変化する場合、電子リーダーデバイスのスクリーン輝度は、相対周辺光レベルに自動的に適合するように調節される。ユーザーが輝度を好適輝度に調節するとき、好適相対設定は、更新され、かつ、ユーザーの好適輝度レベルとして格納されてよい。換言すると、図８Ｂは、ユーザーが輝度を手動で増大させる場合（８１０，８１５）に周辺光と輝度との間での線形関係は維持されるが、たとえば輝度が１００％に到達する点が、対応する大きさだけ移動し得る。
【００３８】
図８Ｃは、図８Ａに示された初期設定時の輝度レベルを下回る好適輝度レベル（たとえばユーザー４の輝度８２５、ユーザー５の輝度８３０）に輝度レベルをユーザーが設定する例を表している。たとえば、第１ユーザー設定８３５はユーザー４の輝度８２５に対応し、第２ユーザー設定８４０はユーザー５の輝度８３０に対応してよい。ユーザー設定が利用可能な周辺光の量未満である場合（たとえばユーザー設定８３５）、相対設定は最小値である５％輝度へ自動的に合わせられてよい。しかし例外として、周辺光が５％未満で、かつ、ユーザーが輝度を５％未満に設定する場合（たとえばユーザー設定８４０）、ユーザー設定８４０は最小設定となる。
【００３９】
換言すると、図８Ｃは、周辺光が５０％のときにユーザーが輝度を手動で０％に減少させる場合（８４０）、周辺光と輝度との間での線形関係は維持されるが、対応する大きさだけ移動する一方で、輝度は５０％の周辺光レベルで０％から上昇を開始するだけである。
【００４０】
図９は、開示された対象の１つ以上の態様による電子書籍デバイスのディスプレイスクリーンを明るくする典型的なデバイスシステム９００を表している。デバイスシステム９００は、電子書籍サービス（たとえば図１Ｂに示されているネットワークサービス１２０）との通信、並びに、ｅリーダーデバイス１１０（たとえば図１Ｂに示されているもの）にかかるアカウントによって利用される電子書籍の閲覧及びアクセスの機能を可能にするプログラムコンポーネントを実装する。一部の実施形態では、デバイスシステム９００はたとえば、ｅリーダーデバイス１１０上で動作するアプリケーションとして実装されてよい。
【００４１】
図９の例では、システム９００は、ユーザーインターフェース９１０、メモリ管理モジュール９２０、ローカルメモリ９３０、及びサービスインターフェース９４０を有する。情報処理システム９００で示されるプログラムコンポーネントの一部又は全部は、ＯＳレベルのコンポーネントの一部として供されてよい。あるいはその代わりに、情報処理システム９００で示されるプログラムコンポーネントは、たとえばｅリーダーデバイス１１０上で動くアプリケーションの一部として供されてよい。たとえばユーザーは、図９の例で説明したような機能を得るため、ｅリーダーデバイス１１０として動作するデバイス上にアプリケーションをダウンロードしてよい。あるいはその代わりにアプリケーションには、システム９００で説明したような機能を供する他のプログラム要素が埋め込まれるか、あるいはプリインストールされてよい。
【００４２】
サービスインターフェース９４０は、ｅリーダーデバイス１１０がたとえば無線インターネット接続を利用してネットワークサービス１２０（図１Ｂ参照）へ接続することを可能にするアプリケーションロジックを有する。サービスと接続する際、サービスインターフェース９４０は、ネットワークサービス１２０が、システム９００が実装されるｅリーダーデバイス１１０を識別することを可能にするデータを送信してよい。それによりネットワークサービス１２０は、特定のｅリーダーデバイスに係るアカウントを決定することができる。サービスインターフェース９４０は、ネットワークサービス１２０から電子書籍９２５を取得するのに用いられてよい。たとえばネットワークサービス１２０に対してシステム９００のｅリーダーデバイス１１０を識別する際、そのネットワークサービスは、ユーザーがそのサービスから新たな電子書籍を購入するときにユーザーカウントに課金するのに用いられ得る支払情報（たとえば格納されたクレジットカード情報）を取得することができる。各電子書籍は、頁形式を有する文芸作品に相当し得る。任意で一部の電子書籍は、章の指定及び（たとえば雑誌や漫画本の場合）グラフィックス又は画像に相当するコンテンツを有してよい。個々の電子書籍９２５はまたメタデータ９２７−たとえば電子書籍が（たとえば従来のハードカバーの本が小売店で販売されているのと同じような方法で）販売されるときにその電子書籍用のカバーとして供される画像−をも有して良い。一の実施形態では、ネットワークサービス１２０は、出版元から個々の電子書籍の画像及び他のメタデータ９２７を取得又は識別して良い。
【００４３】
システム９００のｅリーダーデバイスを識別する際、ネットワークサービス１２０は、どの電子書籍が特定のデバイスに係るアカウントに属するのかを特定してよい。システム９００のｅリーダーデバイスへ送信される電子書籍は、そのデバイスから購入される電子書籍又はユーザーがダウンロードを要求した電子書籍を含む。変化型では、電子書籍は、ある条件の発生に応じてデバイスへ自動的にダウンロードされてよい。たとえばユーザーは、他のデバイス上で電子書籍を購入し、その後ｅリーダーデバイス１１０を介してネットワークサービス１２０へ接続して、過去に購入した電子書籍を自動的に受信して良い。あるいはその代わりに他の例として、ネットワークサービス１２０は、たとえばユーザーカウントの設定、購読計画及び規則、並びに様々な他の業務上当然とされる検討事項に基づいて、システム９００のｅリーダーデバイス１１０へ電子書籍をプッシュするように構成されてよい。
【００４４】
それに加えてサービスインターフェース９４０は、ネットワークサービス１２０からの更新を自動的に受信する処理を有してよい。更新はプログラムの更新を含んでよい。前記プログラムの更新は、ｅリーダーデバイス１１０上でのソフトウエアコンポーネントの更新、並びに、リスト、ユーザーが同一アカウントの他のデバイス上で購入したと思われる電子書籍のダウンロード、所与のユーザーが購入若しくは閲覧を希望していると思われるものについてのネットワークからのおすすめ、及び／又は、ネットワークサービスのユーザーへ一般的に供されるか、あるいは特定のアカウント若しくはユーザーへ特化して供される様々な他のデータの更新を含む。
【００４５】
一部の実施形態によると、ローカルメモリ９３０は、メタデータ９２７とコンテンツ９２９（たとえば頁コンテンツ）を有する記録９２６として各電子書籍を格納する。メモリ管理モジュール９２０は、ユーザーインターフェース９１０を介した電子書籍のレンダリングの目的で個々の電子書籍の一部を取得してよい。
【００４６】
図９の例では、デバイスシステム９００のユーザーインターフェース９１０は、ｅリーダーコンポーネント９０８及びライブラリビューワ９１４を有する。ｅリーダーコンポーネント９０８は、メモリ管理部９２０及び／又はローカルメモリ９３０を介してユーザーが選択した所与の電子書籍のコンテンツを表示する。たとえばｅリーダーコンポーネント９０８は、所与の電子書籍９２５のコンテンツ部９２９のコンテンツ９１３（たとえば１頁以上の頁）を表示してよい。ｅリーダーコンポーネント９０８は、頁めくり、章ごとの移動、複数頁のまとまりでの頁めくり、走査、及び／又は検索のような行為をユーザーに実行させることを可能にする機能を有してよい。追加例として、ｅリーダーコンポーネント９０８は、設定（たとえばディスプレイの明暗の変更）の調節、注釈をつける、強調する、辞書検索若しくは翻訳の実行、及び／又はソーシャルネットワーク機能の実行をユーザーが可能になるような機能を供してよい。ユーザーによって供された入力に応じて、ｅリーダーコンポーネント９０８は、表示されるコンテンツ９１３を更新してよい。たとえば頁めくり又は章の移動の入力に応じて、ｅリーダーコンポーネント９０８は、（メモリ管理部９２０を介して）コンテンツ９１３を取得及び更新し、さらに更新されたコンテンツを出力してシステム９００のデバイス上で表示してよい。
【００４７】
ライブラリビュー９１４は、ユーザーの電子書籍及び他のコンテンツアイテムを表す対象物を表示してよい。一の実施形態では、ライブラリビュー９１４は、表示されている電子書籍９２５のメタデータ９２７に係る像及び／又はテキストに相当するメタデータコンテンツを表示する。たとえばライブラリビュー９１４は、ユーザーライブラリ中に存在する電子書籍のブックカバー画像及び著者情報を表示してよい。ライブラリビュー９１４はまた、ネットワーク１２０から供され、かつ／あるいは、ローカルに格納されないがユーザーライブラリ中に存在する電子書籍（たとえばアーカイブされた電子書籍）のメタデータをも表示してよい。
【００４８】
ユーザーインターフェース９１０は、前方光制御部９１６に結合されてよい。前方光制御部９１６は、システム９００が実装されるデバイスの前方光を制御する明細及び他のロジック回路を有する。与えられた例では、前方光制御部９１６は、前方光用のインターフェース９１７に結合される。例として、インターフェース９１７は、図３Ａ及び図３Ｂの例で示されたように前方光２０９Ａ又は２０９Ｂを送るのに用いられてよい。インターフェース９１７は、システム９００のデバイスの前方光の状態の変化を知らせるのに用いられてよい。一の実施形態では、前方光制御部９１６は、制御信号９１１を前方光インターフェース９１７へ送る。前方光制御信号９１１は、インターフェース９１７に、前方光の既存状態（たとえば照明レベル、色等）を変化させ、さらに１つ以上の前方光の未来の状態を特定させてよい。
【００４９】
一部の変化型では、前方光制御部９１６は、ユーザーインターフェース９１０を介して表示されるユーザーインターフェース機能を有してよい。たとえば前方光制御部９１６は、ｅリーダーコンポーネント９０８及び／又はライブラリビュー９１４を介して表示される機能を有してよい。１つ以上のそのような機能によって、ユーザーは、ユーザートリガ９２１を前方光制御部９１６へ送ることが可能となり得る。ユーザートリガ９２１は、前方光制御部９１６へ信号を送ることで前方光の状態を変化させることができる一方で、たとえばユーザーは、ｅリーダーコンポーネント９０８を介して供されるコンテンツ９１３を閲覧する。ユーザートリガ９２１は、前方光の状態を特定してよい。より詳細には、ユーザートリガ９２１に対応する入力は、前方光の状態を特定してよい。たとえばユーザートリガ９２１は、前方光の照明レベル及び／又は照明パターンを特定してよい。例として、ユーザーは、ｅリーダーデバイス１１０を介して電子書籍９２５の頁を閲覧し、続いてユーザーが前方光の色（たとえば青）及び／又は輝度を特定することを可能にする前方光機能を選択してよい。
【００５０】
変化型では、プログラムトリガ９２３はたとえば、ユーザーインターフェース９１０を介して供される機能から生成されてよい。一の実施形態では、ｅリーダーコンポーネント９０８は、トリガを、レンダリング中の電子書籍の態様に事前に書関連付ける。プログラムトリガ９２３は、事象又は条件と相関してよい。事象又は条件とはたとえば、(ｉ)レンダリングされている特定の頁、(ｉｉ) 完了した（たとえば閲覧された）電子書籍の部分、(ｉｉｉ)ユーザーによって実行された電子書籍機能（たとえば頁をめくっている間に頁を保持する）、（ｉｖ）選択された特定の単語又は語句、及び／又は、（ｖ）表示されているコンテンツ９１３中の（単語や語句で特定されている）対象、である。さらに変化型では、ｅリーダーコンポーネント９０８は、プログラムトリガ９２３に対応する事象又は条件を検出してよい。プログラムトリガ９２３とはたとえば、(ｉ)（たとえばユーザー入力による又は初期設定の）特定の前方光の効果のために指定された特定の電子書籍をユーザーが選択すること、(ｉｉ)頁をめくる入力をユーザーが与えること（たとえばユーザーが頁をめくって電子書籍の５０％を読了する）、(ｉｉｉ)ユーザーが単語を強調する入力を与えること、又は、（ｉｖ）ｅリーダーコンポーネント９０８が、（たとえばユーザー入力による又は初期設定の）特定の又は異なる前方照明効果を有するように指定された特定の頁をレンダリングするように動作すること、である。このようにして、プログラムにより生成されたトリガ９２３は、トリガの基礎となる事象又は条件が発生するときに前方光制御部９１６へユーザーインターフェース９１０から送られてよい。
【００５１】
同様にライブラリビュー９１４は、プログラムトリガ９２３の生成源を供してよい。たとえば特定のライブラリ（たとえばネットワークサービス１２０上に格納された電子書籍を表示するアーカイブライブラリ）を閲覧するためにユーザーによって供された入力は、対応するプログラムトリガ９２３に関連付けられてよい。たとえばユーザーがアーカイブライブラリを閲覧するとき、前方光制御部９１６は、特定の色で照明するように制御されてよい。色の選択はたとえば、表示されている電子書籍が特定の状況でデバイス上には格納されていないがネットワーク上に格納されていることをユーザーに間接的に知らせてよい。
【００５２】
一部の実施形態では、ユーザートリガ９２１とプログラムトリガ９２３の各々は、特性−たとえば識別子又は他のデータ要素−を備えるか、あるいは、関連付けられてよい。トリガ９２１，９２３の特性は、前方光制御部の状態を定めてよい。たとえばユーザートリガ９２１又はプログラムトリガ９２３は、特定の色、照明状態、効果（明滅）、又は他の照明特性を識別する、あるいは、相関するデータ識別子を有してよい。
【００５３】
代わりに又はそれに加えて、一の実施形態では、前方光制御部９１６が、トリガ９２１，９２３（又はトリガ９２１，９２３を備えるデータ要素）と、（たとえば図３Ａ及び図３Ｂによって示されているＬＥＤ２０９Ａ，２０９Ｂによって供されるような）前方光の状態９３５を定める具体的照明特性とを相関させる前方光データ格納部９１９を有する。前方光データ格納部９１９は、制御部９１６が備える規則又は他の論理に基づいてよい。
【００５４】
一部の変化型では、前方光データ格納部９１９によって与えられるデータの少なくとも一部はユーザー特定型であってよい。一の実施形態ではたとえば、前方光データ格納部９１９用に供されてよい。プログラムトリガ９２３及びその結果得られる前方光の状態（変化）を特定する設定又は構成に対応する入力をユーザーが供することを可能にする制御インターフェース９２９が、ユーザートリガ９２１及び／又はプログラムトリガ９２３を備える識別子及び／又は他のデータ要素は、前方光の特定の状態又は状態変化を特定するように前方光データ格納部９１９に相関されてよい。
【００５５】
一部の変化型では、前方光データ格納部９１９は、ユーザーによって特定されてプログラムトリガ９２３とは独立に実装される設定を有する。たとえばユーザーは、前方光制御部９１６が、１つ以上の具体的条件で照明するように前方光発生部（たとえば図３Ａ及び図３ＢのＬＥＤ２０９Ａ，２０９Ｂ）を制御する条件を特定してよい。第１の例として、ユーザーは、初期設定で前方光が常に特定の色で照明するように特定してよい。他の例として、ユーザーは、１日の時間に基づいて前方光の初期設定の状態を決定するスケジュールを特定してよい。
【００５６】
前方光制御部９１６は、前方光の状態変化を実装するため、前方光制御信号９１１をインター―フェース９１７へ送る。前方光インター―フェース９１７は、ＬＥＤ２０９Ａ，２０９Ｂ（図３Ａ及び図３Ｂ参照）によって与えられるような前方光発生部へ出力状態の信号を送ってよい。
【００５７】
一部の変化型では、前方光制御部９１６は、所定の閾値に基づいてトリガに対応する又は解釈され得るセンサ読み取り９２７を送ってよい。センサ読み取り９２７はセンサインターフェース９１８によって供されてよい。センサインターフェース９１８はたとえば、システム９００のデバイス用筐体の外部に供されるハードウエアセンサのインターフェースとなる論理回路を有してよい。例としてハードウエアセンサは、周辺光センサ及び／又は温度センサに対応してよい。よって温度センサは、システム９００によって用いられる電子書籍デバイスの環境温度を取得してよい。同様に光センサは、システム９００のデバイスの環境中での照明レベルを決定してよい。前方光制御部９１６は、センサ読み取り９２７に供される値−たとえば温度及び／又は周辺光度の値―からセンサトリガを解釈してよい。
【００５８】
一の実施形態では、センサ読み取り９２７は、前方光発生部（たとえば図３Ａ及び図３Ｂによって示されるＬＥＤ２０９Ａ，２０９Ｂ）の状態を変更するため、前方光インター―フェース９１７へ制御信号９１１を送ってよい。前方光制御部９１６は、たとえば前方光データ格納部９１９を用いて、センサ読み取り９２７中に供される情報と、前方光発生部の状態とを相関させてよい。たとえば前方光データ格納部９１９は、特定のセンサ読み取りを特別な照明状態に相関させてよい。
【００５９】
一部の実施形態では、ユーザーは、センサ読み取り９２７中に与えられるあるセンサ値に応じて前方光発生部がとるべき状態を定めてよい。ユーザーが定めた応答は、前方光インターフェース９２９を介して供されてよい。ユーザーは、特定の照明状態を誘発する周辺光の値又は温度の値を特定してよい。
【００６０】
図８Ａ乃至図８Ｃを再度参照すると、図８Ａ乃至図８Ｃの例は、スクリーン輝度が周辺光レベルより５％を超えて大きくなるように設定される初期設定時の設定を含む。周辺光レベルが増大することで、スクリーン輝度は、増大する際の周辺光レベルより５％を超えて大きい状態を維持するように、周辺光レベルに比例して増大する。しかしスクリーン輝度が周辺光レベルより５％を超えて大きいため、スクリーン輝度は、周辺光レベルが最大周辺光レベルに到達する前に最大スクリーン輝度に到達する。たとえばユーザー（図８Ｂ参照）は、利用可能な周辺光よりも高い好適輝度設定を選択してよい。周辺ひかりが変化する場合、輝度は、相対的な光のレベルに合わせるように調節されてよい。ユーザー１，２，３（図８Ｂ参照）の各々は、周辺光レベルが最大周辺光レベルに到達する前に最大輝度に到達してよい。その結果、輝度レベルが１００％に到達した後に周辺光レベルが増大し続けても、輝度レベルは１００％に維持され得る。ユーザー（たとえば図８Ｃのユーザー４）が利用可能な周辺光よりも低い好適輝度設定を選択する場合、輝度レベルは自動的に５％の最小値に合わせられる。例外は、５％よりも低い周辺光レベルを有し、かつ、好適輝度設定を５％よりも低く設定するユーザー５（図８Ｃ参照）であってよい。その結果、５％未満に設定される好適輝度設定は最小設定に更新される。それに加えて周辺光レベルが１００％に到達するとき、調節可能なＲＧＢＷ前方光源はオフになる。調節可能なＲＧＢＷ前方光源はたとえば省電力のためにオフになってよい。なぜなら１００％の周辺光とは、電子リーダーデバイス周辺の領域での光の量ゆえに、ＲＧＢＷ前方光源がスクリーンの視認性にほとんど影響しない状況に対応し得るからである。
【００６１】
図１０Ａ乃至図１０Ｃは、開示された対象の１つ以上の態様による２つのユーザー入力に応じた自動輝度機能の例を表している。２つの入力は、低い好適周辺光設定１００５及び高い好適周辺光設定１０１０を有してよい。低い好適周辺光設定１００５は周辺ひかりの５０％未満で、高い好適周辺光設定１０１０は周辺光の５０％超である。一の態様では、高い好適周辺光設定は周辺光の５０％以上であってよい。たとえば輝度調節が高い周辺光中のデバイスを介して受信される場合、高い周辺光についての好適相対設定は更新されてよい。同様にユーザーが低い周辺光中で輝度を調節する場合、低い周辺光についての好適相対設定は更新されてよい。ユーザーが、高い周辺光中又は低い周辺光中のいずれかで輝度を調節する場合、好適相対設定は、更新され、かつ、それぞれ高い周辺光中及び低い周辺光についての好適相対設定として格納されてよい。それに加えて周辺光が変化する際、輝度レベルが低い好適周辺光輝度レベルと高い好適周辺光輝度レベルとの間で遷移する所定の比率が設定されてよい。さらに周辺光レベルが低い好適周辺光輝度レベルよりも低いとき、輝度レベルは、周辺光レベルの任意の変化（つまり増大及び／又は減少）に対して比例して自動調節されてよい。同様に周辺光が高い好適周辺光輝度レベルよりも高いとき、輝度レベルは、周辺光レベルの任意の変化（つまり増大及び／又は減少）に対して比例して自動調節されてよい。
【００６２】
図１０Ａは、各々が利用可能な周辺光よりも高い、低い好適周辺光設定１００５及び高い好適周辺光設定１０１０を表している。
【００６３】
図１０Ｂは、利用可能な周辺光よりも低い、低い好適周辺光設定１０１５のユーザー選択、及び、利用可能な周辺光よりも高い、高い好適周辺光設定１０２０ユーザー選択を表している。
【００６４】
図１０Ｃは、スクリーン輝度の５％よりも低い、低い好適周辺光１０２５のユーザー選択及び利用可能な周辺光よりも高い、高い好適周辺光１０３０のユーザー選択の例を表している。換言すると、図１０Ａ乃至図１０Ｃは、ユーザーが１又は２のカスタム入力を供することができることを示し得る。たとえばユーザーは、手動で光の輝度を変化させ得る一方で、検出される周辺光は０〜５０％の範囲内である。あるいはその代わりに又はそれに加えて、ユーザーは、手動で光の輝度を変化させ得る一方で、検出される周辺光は５０〜１００％の範囲内である。これらのユーザー入力のうちの両方のうちの一が供された後、将来の自動輝度調節は、周辺光に基づいてよい。たとえば初期設定のシステム挙動は、周辺光が２５％のときには光の輝度を２５％に設定するが、周辺光が２５％のときにユーザーが手動で光の輝度を４５％に調節した場合、将来、周辺光が２５％のときの自動光輝度は４５％に設定される。代わり及び／又は加えて、周辺光が５０〜１００％の範囲内の間、光輝度のユーザー入力が供されてよい。すべての光輝度と周辺光を一緒にしたものとの間で視覚的に滑らかな遷移を維持するため、輝度変化の比率は、ユーザー入力を表す点を交差させるように増大又は減少する。これは、０％、第１ユーザー入力（１００５，１０１５，１０２５）、第２ユーザー入力（１０１０，１０２０，１０３０）、及び１００％との間の実線の区間の角度によって表されてよい。点線は、カスタムユーザー入力が与えられなかったときの初期設定のシステム挙動を表してよい。
【００６５】
図１１Ａ及び図１１Ｂは、開示された対象の１つ以上の態様による周辺光のゆっくりとした変化又は急激な変化に応じた自動輝度機能の例を表している。増大であれ減少であれ周辺光の変化がゆっくりとしているとき、相対スクリーン輝度１１０５は、周辺光１１１０の変化に対して自動的に調節されてよい。しかし周辺光１１１０の変化が急激で、かつ、所定期間未満での所定の変化量よりも大きいとき、周辺光センサからの１つ以上のサンプルは滑らかな輝度遷移のために平均化されてよい。たとえば周辺光１１１０の変化が所定量よりも大きな増大である場合、輝度はそれに応じて増大してよい。輝度の増大は数秒にわたって起こってよい。あるいはその代わりに周辺光の変化が所定量よりも大きな急激な現象である場合、輝度の変化はゆっくり―秒ではなく分―であってよい。たとえば増大は１秒あたり１０％であり得る一方で、減少は１分あたり１０％であり得る。
【００６６】
図１１Ａは、周辺光１１１０のゆっくりとした増大及び減少を表している。
【００６７】
図１１Ｂは、周辺光１１１０の急激な増大及び減少を表している。
【００６８】
図１２Ａ乃至図１２Ｃは、開示された対象の１つ以上の態様による１日の時間に基づく自動スクリーン色温度制御の例を表している。スクリーン色温度自動制御は状態を含んでよい。状態は、夜間状態、日の出遷移状態、日中状態、及び日没遷移状態を含んでよい。夜間状態は、選択された就寝時間から日の出遷移の開始状態の範囲にまで及び、かつ、１９００Ｋの初期設定のスクリーン色温度を有してよい。１９００Ｋのスクリーン色温度はたとえばキャンドルライトに相当し得る。日の出遷移状態は、たとえば午前５時から午前７時の範囲に及び、かつ、１９００Ｋから６４００Ｋまで所定の変化率でスクリーン色温度を遷移させてよい。日中の状態は、午前７時から午後６時の範囲にまで及び、かつ、６４００Ｋの初期設定のスクリーン色温度を有してよい。６４００Ｋのスクリーン色温度はたとえば日光に相当し得る。日没遷移状態は、午後６時から選択された就寝時刻までの範囲に及び得る。初期設定の就寝時刻は午後１１時で、かつ、スクリーン色温度を６４００Ｋ（日光）から１９００Ｋ（キャンドルライト）へ遷移させることができる。１５００Ｋのスクリーン色温度が図１４からのスライダー上で選択可能であるが、自動スクリーン色温度は、１９００Ｋ未満のスクリーン色温度を表示しないように自動的に構成され得る。一の態様では、日の出遷移と日没遷移の時間は、日の出と日の入りがユーザーの居場所に基づいて一年中変わるにつれて変化してよい。あるいはその代わりに又はそれに加えて、日の出の遷移と日の入りの遷移の初期設定の時間は、日が昇ってユーザーの場所での日の出と日没の時間に関係なく、年間を通して同一のままであってよい。さらに、自動スクリーン色温度制御の別の例は、ユーザーが初期設定の就寝時刻を調節することを含む。例えば、ユーザーがより早い就寝時刻を選択する（たとえば、午後１１時から午後９時まで調整する）場合、日没遷移状態の速さは増大し得る。あるいは、ユーザーがより遅い就寝時刻を選択する（たとえば、午後１１時から午前３時まで調整する）場合、日没遷移状態の速さは減少し得る。
【００６９】
図１２Ａは、スクリーン色温度の自動制御の初期設定のシナリオを表している。たとえば初期設定の就寝時間は午後１１時であってよい。
【００７０】
図１２Ｂは、ユーザーが就寝時間を以前の就寝時間（たとえば午後１１時）から早い時間（たとえば午後９時）に調節するシナリオを表している。前記シナリオは、日光（６４００Ｋ）からキャンドルライト（１９００Ｋ）への遷移における増大に対応する。
【００７１】
図１２Ｃは、ユーザーが就寝時間を以前の就寝時間（たとえば午後９時、午後１１時）から遅い時間（たとえば午前３時）に調節するシナリオを表している。前記シナリオは、日光（６４００Ｋ）からキャンドルライト（１９００Ｋ）への遷移における増大に対応する。
【００７２】
図１３Ａ乃至図１３Ｃは、開示された対象の１つ以上の態様による日没の遷移中でのユーザーのスクリーン色温度の手動調節に応じた自動スクリーン色温度制御の例を表している。ユーザーが、日没遷移状態中にスクリーン色温度を、より高いスクリーン色温度又はより低いスクリーン色温度へ手動調節するとき、日没遷移は、手動調節されたスクリーン色温度から継続してよい。それに加えてユーザーが、（初期設定の又は選択された）就寝時間の１時間以内で日没遷移状態中にスクリーン色温度を手動調節するとき、就寝時間は１時間遅れ、かつ、日没遷移は、手動調節されたスクリーン色温度から継続してよい。
【００７３】
図１３Ａは、ユーザーが就寝時間を午後１１時に設定し、かつ、午後７：３０（又は就寝時間の１時間以内よりも早い時間）でのスクリーン色温度を低下させるように調節したシナリオを表している。前記シナリオは、ユーザーが調節したスクリーン色温度からキャンドルライト（１９００Ｋ）へ継続する日没遷移状態に対応する。ユーザーが調節したスクリーン色温度は好適設定として格納されなくてよい。換言すると、調節されたスクリーン色温度は、翌日デバイス１１０によって思い出されない。
【００７４】
図１３Ｂは、ユーザーが就寝時間を午後１１時に設定し、かつ、午後７：３０（又は就寝時間の１時間以内よりも早い時間）でのスクリーン色温度を上昇させるように調節したシナリオを表している。前記シナリオは、ユーザーが調節したスクリーン色温度からキャンドルライト（１９００Ｋ）へ継続する日没遷移状態に対応する。ユーザーが調節したスクリーン色温度は好適設定として格納されなくてよい。換言すると、調節されたスクリーン色温度は、翌日デバイス１１０によって思い出されない。
【００７５】
図１３Ｃは、ユーザーが就寝時間を午後１１時に設定し、かつ、午後１０：３０（又は選択された就寝時間の１時間以内の時間）でのスクリーン色温度を上昇させるように調節したシナリオを表している。前記シナリオは、就寝時間を１時間遅らせ（たとえば午後１１時から午前１２時）、かつ、ユーザーが選択したスクリーン色温度からキャンドルライト（１９００Ｋ）への遷移を継続する日没遷移状態に対応する。ユーザーが調節したスクリーン色温度及び遅らせた就寝時間は好適設定として格納されなくてよい。換言すると、調節されたスクリーン色温度及び遅らせた就寝時間は、翌日デバイス１１０によって思い出されない。
【００７６】
図１４Ａ及び図１４Ｂは、開示された対象の１つ以上の態様による日の出の遷移中でのユーザーのスクリーン色温度の手動調節に応じた自動スクリーン色温度制御の例を表している。ユーザーが、日の出遷移状態中にスクリーン色温度を、より高いスクリーン色温度へ手動調節するとき、日の出遷移は、手動調節されたスクリーン色温度から継続してよい。ユーザーが、日の出遷移状態中の任意の時間でスクリーン色温度を、より低いスクリーン色温度へ手動調節するとき、日中状態の開始は１時間遅れ、かつ、日の出遷移は、手動調節されたスクリーン色温度から継続してよい。
【００７７】
図１４Ａは、午前６時（又は日の出遷移中の任意の時間）でのスクリーン色温度を調節するシナリオを表している。前記シナリオは、ユーザーが調節したスクリーン色温度から日光（６４００Ｋ）へ継続する日の出遷移状態に対応する。ユーザーが調節したスクリーン色温度は好適設定として格納されなくてよい。換言すると、調節されたスクリーン色温度は、翌日デバイス１１０によって思い出されない。
【００７８】
図１４Ｂは、午前６時（又は日の出遷移中の任意の時間）でのスクリーン色温度を調節するシナリオを表している。前記シナリオは、日中状態を１時間遅らせ（たとえば午前７時から午前８時）、かつ、ユーザーが調節したスクリーン色温度から日光（６４００Ｋ）へ日の出遷移状態を継続することに対応する。ユーザーが調節したスクリーン色温度及び遅らせた日中状態の開始は好適設定として格納されなくてよい。換言すると、調節されたスクリーン色温度及び遅らせた日中状態の開始は、翌日デバイス１１０によって思い出されない。
【００７９】
図１５Ａは、開示された対象の１つ以上の態様による日中でのユーザーのスクリーン色温度の手動調節に応じた自動スクリーン色温度制御の例を表している。ユーザーが、日中状態中にスクリーン色温度を手動調節するとき、手動調節されたスクリーン色温度は日中状態の残りの間維持される。それに加えて日の出遷移状態のスクリーン色温度の開始点は、日中状態からの手動調節されたスクリーン色温度である。ユーザーが調節したスクリーン色温度は好適設定として格納されなくてよい。換言すると、調節されたスクリーン色温度は、翌日デバイス１１０によって思い出されない。
【００８０】
図１５Ｂは、開示された対象の１つ以上の態様による夜間でのユーザーのスクリーン色温度の手動調節に応じた自動スクリーン色温度制御の例を表している。ユーザーが、夜間状態中にスクリーン色温度を手動調節するとき、手動調節されたスクリーン色温度は日の出遷移まで維持される。日の出遷移の開始点は手動調節されたスクリーン色温度である。ユーザーが調節したスクリーン色温度は好適設定として格納されなくてよい。換言すると、調節されたスクリーン色温度は、翌日デバイス１１０によって思い出されない。
【００８１】
図１６は、開示された対象の１つ以上の態様による１日の任意の時間でのユーザーによるスクリーン色温度の１９００Ｋ未満への手動調節に応じた自動スクリーン色温度制御の例を表している。ユーザーが、スクリーン色温度を１９００Ｋ未満に手動調節するとき、前記手動調節を行う１日のうちの時間に関係なく、手動調節されたスクリーン色温度は、次の日の出遷移まで維持される。
【００８２】
図１７は、開示された対象の１つ以上の態様による１日の任意の時間での低いスクリーン色温度の上限輝度を表している。スクリーン色温度が１５００Ｋへ向かって移動することで、利用可能な輝度の範囲は、バッテリーを保存するように減少してよい。たとえばスクリーン色温度が低くなることで、表示の際に要求される白色光の出力は低くなる。一の態様では、輝度の範囲は、６４００Ｋから１５００Ｋの中間点まで最大限のままでよい。スクリーン色温度が６４００Ｋから１５００Ｋの中間点よりも下へ移動するとき、輝度の上限は所定の変化率で減少してよい。
【００８３】
図１８は、開示された対象の１つ以上の態様による調節可能なＲＧＢＷ前方光によって表示される典型的なスクリーン色温度及び対応するＲＧＢＷ値を表している。ディスプレイ１８０５は青色光のない状態に対応してよい。ディスプレイ１８１０は青色光の低い状態に対応してよい。ディスプレイ１８１５は青色光が第１中程度の状態に対応してよい。ディスプレイ１８２０は青色光が第２中程度の状態に対応してよい。ディスプレイ１８２５は青色光の高い状態に対応してよい。
【００８４】
図１９Ａ乃至図１９Ｄは、開示された対象の１つ以上の態様によるディスプレイスクリーン上に投射される光の照明状態を変化させることが可能な電子書籍デバイスの例を表している。具体的には、図１９Ａ乃至図１９Ｄは、独立した光源―たとえば前方光源―からの照明が供されるディスプレイスクリーン１９１０を有する例―たとえば図２、図３Ａ、図３Ｂ、図９、及び図３３によって供される例−による電子書籍デバイス１９００を表している。
【００８５】
図１９Ａ乃至図１９Ｄの例では、たとえば本願で説明した前方光源によって供される照明状態は、様々な色を反映するように変化する。よって照明の色の状態はたとえば、緑（図１９Ａ）、青（図１９Ｂ）、ピンク（図１９Ｃ）、及び黄色（図１９Ｄ）の間で変化してよい。一例では、前方光は、第１事象又は条件に応じて照射されてよい。代替型又は変化型として、前方光は、照射され、続いて色又は他の見た目を変化させてよい。例として、前方光の色の変化は、（ｉ）電子書籍を読む際のユーザーの進度（たとえばユーザーが読了した電子書籍の部分）、（ｉｉ）ユーザーの好み又は設定、（ｉｉｉ）レンダリングされている電子書籍の特定の頁又は部分が現れること、（ｉｖ）前方光の特定の色又は状態を特定するユーザーからの直接入力、及び／又は（ｖ）環境又は外部条件−たとえば１日の時間（たとえば夜間は青色等）又は環境温度−を反映してよい。
【００８６】
照明の色を変更する前方光を与える例もあり得るが、照明の暖かさを変更する実施形態もあり得る。たとえば冷たい照明は、よりはっきりしたコントラストを生成する白色より多くを含む光を表してよい。ディスプレイ１９１０上に供される照明は、たとえば温度又は１日の時間に依存して冷たい色と暖かい色との間で変化してよい。トリガとして本願で説明される多数の例は、図１９Ａ乃至図１９Ｄで供される例に加えて前方光の状態を変更してよい。
【００８７】
さらに多数の例が、電子書籍やさらには読書活動の文脈で説明されている。独立又は別個の照明部からの特定の利益を有するディスプレイ組立体（たとえば電子ペーパー型ディスプレイ）を用いる例もあり得るし、本願で説明される他の種類の情報処理デバイス−たとえばＬＣＤ又はＬＥＤ型ディスプレイによってコンテンツを生成するデバイス−用の照明部を用いる例もあり得る。さらに状態を変更することが可能な独立の照明部は、情報処理デバイス−キーボード、ボタンの組、又はタッチスクリーンを用いるデバイスを含む−の機械的表面及び機能部の照明に用いられてよい。よってたとえば様々な例で説明された前方光源は、ハードウエア機能部−たとえばキーボード−を照明すなわち光を投射してよい。
【００８８】
図２０は、開示された対象の１つ以上の態様による典型的な表を表している。前記表中、輝度レベルの範囲は、任意の輝度レベルで調和してスクリーン色温度を表示する特定の色温度についての対応するＲＢＧＷ値を有してよい。換言すると、ゴールは、ＲＢＧＷ光を様々な輝度設定で呼号するときに調和した色温度を維持することであり得る。すべてのＲＢＧＷ光の輝度のみが同時に変化するとき、各異なる成分色が各異なる出力レベルで異なる挙動を示すため、同一の混合色は維持され得ない。表に従って各色の輝度を個別に変調することによって、各異なる輝度レベルで同一色を維持することができる。表のセル中の値は、赤、緑、青、及び白の各チャネルの割合を表す。たとえば「５０，２５，０，３０」は、赤色強度が５０％、緑色強度が２５％、青色強度が０％、及び白色強度が２５％の状態に対応し得る。表は、例であることを意図し、かつ、より広い輝度割合（０％〜１００％の範囲）、より広いスクリーン色温度（１５００Ｋ〜６４００Ｋの範囲）、及び、上記に対応する表の各セルのＲＧＢＷ値を有してよい。他の例では、スクリーン色温度は、１日の時間及び様々なユーザー入力に基づいて１日中自動的に変化するが、視覚的なスクリーン色温度の現れ方は、輝度レベルには影響されない。より具体的には、輝度レベルが調節されるとき、スクリーン色温度は、調節された輝度レベルに対応するＲＧＢＷ値を更新することによって視覚的に同一のままとなり得る。たとえばスクリーン色温度が１５００Ｋで、かつ、輝度レベルが５０％である場合、ＲＧＢＷ値は、Ｒ＝２０１、Ｇ＝１３７、Ｂ＝０、及びＷ＝０である。よって輝度レベルが１００％に調節されるときに同一である１５００Ｋのスクリーン色温度を表示するには、ＲＧＢＷ値は、Ｒ＝２２８、Ｇ＝１６４、Ｂ＝０、及びＷ＝０である。
【００８９】
図２１は、開示された対象の１つ以上の態様によるｅリーダーデバイスのディスプレイ表面上に光を投射するように供される照明部の状態を制御する典型的な方法を表している。たとえば図２１によって供される典型的な例は、たとえば図２、図３Ａ、図３Ｂ、図９、及び図３３の例で説明される構成要素を用いて実装されてよい。したがって、説明されている段階又は部分段階を実行するのに適切な構成要素を表す目的で他の図の要素が参照されることもあり得る。
【００９０】
図２１を参照すると、ｅリーダーデバイス１１０は、読書活動用コンテンツをレンダリングしてよい（４１０）。たとえばｅリーダーデバイス１１０は、使用中の電子書籍の１頁（又は複数の頁からなる１組）に対応するコンテンツをレンダリングしてよい。他の例として、レンダリングされたコンテンツは、たとえば特定のデバイスに関連付けられる電子書籍又は他のコンテンツアイテム（たとえば音楽アルバム）のグラフィック画像を表すメタデータコンテンツを含んでよい。
【００９１】
コンテンツがレンダリングされる間、前方光トリガが検出され得る（２１２０）。前方光トリガは、たとえばプログラムによって生成されたトリガ−たとえば電子書籍の条件又は事象に関連付けられるソフトウエア実装トリガ（電子書籍活動）−に対応し得る電子書籍マーカーとして実装されてよい（２１２２）。電子書籍マーカー自体は、特定の電子書籍（たとえばユーザーが、特定の電子書籍を選択するか、あるいは新たな電子書籍の読書を開始する）、電子書籍の１頁、電子書籍の一節、個々の語句（たとえば電子書籍の頁上に存在する特定の語句）、及び／又は電子書籍のレンダリングされたコンテンツに関連してユーザーによって実行される活動（たとえばユーザーは検索中に特定の頁上にプレースホルダ―を設ける）に関連付けられるトリガである。
【００９２】
代わりに又はそれに加えて、前方光トリガは、センサ事象に対応してよい（２１２４）。センサ事象は、特定のセンサ読み取り―たとえば電子リーダーデバイス１１０の温度センサ又は周辺光センサによって供される―に対応してよい。センサインターフェース９１８はたとえば、前方光制御部９１６へセンサ読み取りを供してよい。その結果前方光制御部９１６は、センサ読み取りをトリガと解釈する。
【００９３】
代わりに又はそれに加えて、前方光トリガは、ユーザー入力又は設定によって特定されてよい。たとえばユーザー入力は、前方光の変化を誘発してよい。ユーザー入力はまた、前方光の状態の変化を特定してもよい。さらにまた、ユーザー入力は、ＬＥＤ２０９Ａ，２０９Ｂの状態を変更する前方光制御入力を生成する条件又は事象を特定する設定を供してよい。一部の実施形態では、ユーザー入力は、特定の読み取り期間での前方光効果を特定してよい。さらにまたユーザー入力は、特定の前方光効果を引き起こす１つ以上のプログラムトリガを定義してよい。図９の例では、トリガを事前に定義するユーザー入力は、前方光インターフェース９２９を介して供され、データ格納部９１９に格納されてよい。
【００９４】
一旦トリガが検出又は供されると、前方光は、検出されたトリガによって決定された方法で制御されてよい（２１３０）。図９の例では、制御部９１６は、前方光の状態を変化させる（たとえば前方光を照射する及び／又は特定の色若しくは他の特性を備える前方光を照射する）制御信号を出力する。入力トリガは、該トリガ内に埋め込まれた所定の相関及び／又はデータに基づいて前方光の状態に相関されてよい。このようにして、前方光は、色（２１３２）、効果（２１３４）（たとえば点滅、フェーディング、あるパターンでの点滅等）、及び／又は、タイミング（２１３６）（たとえば送られている状態が持続する期間）について制御されてよい。
【００９５】
図２２は、開示された対象の１つ以上の態様による輝度レベルに基づくスクリーン色温度を表示する方法のアルゴリズムフローチャートである。
【００９６】
Ｓ２２０５では、輝度レベルに対応する信号が、たとえばシステム９００内で受信されてよい。輝度レベルは、周辺光センサによって決定される周辺光レベルに基づいてよい。
【００９７】
Ｓ２２１０では、スクリーン色信号に対応する信号が、たとえばシステム９００内で受信されてよい。スクリーン色温度は、１日のうちの時間のみならず、以降で詳述するように任意の手動調節されたスクリーン色温度を含む様々な他の因子に基づいて決定されてよい。
【００９８】
Ｓ２２１５では、所定の混合光が計算されてよい。所定の混合光は、たとえば図２０の表を用いて計算されてよい。
【００９９】
Ｓ２２２０では、所定の混合光が、調節可能なＲＧＢＷ前方光（たとえば前方光１１８、前方光１１８、前方光源２０９Ａ及び／又は前方光源２０９Ｂ等）によって表示されてよい。スクリーン色温度が同一であるときに輝度の変化がユーザーにとって明らかにならないように、所定の混合光は、調節可能なＲＧＢＷ前方光によってリアルタイムで表示されてよい。シームレスな遷移の利点はユーザーの体験が改善されることである。所定の混合光が表示されるとき、処理は終了してよい。
【０１００】
図２３は、開示された対象の１つ以上の態様による１日の時間に基づいたスクリーン色温度の自動調節方法のアルゴリズムフローチャートである。
【０１０１】
Ｓ２３０５では、状態間での遷移が起こったのか否かが判断されてよい。状態は、夜間状態、日の出遷移状態、日中状態、及び日没遷移状態を含んでよい。Ｓ２３１０では、状態間の遷移が起こった場合、新たな状態の開始に対応する所定のスクリーン色温度が表示されてよい。しかしＳ２３１５では、状態間の遷移が起こらなかった場合、輝度レベルは変化する。
【０１０２】
Ｓ２３１５では、輝度レベルが変化したのか否かが判断されてよい。輝度レベルが変化しなかった場合、処理は、Ｓ２３０５での状態間の遷移があったのか否かの判断に戻ってよい。しかしＳ２３２０では、輝度レベルが変化したと判断された場合、所定の混合光は、最新のスクリーン色温度に合わせるように自動調節されてよい。所定の混合光は、たとえば図２０に基づいてよい。換言すると、スクリーン色温度は同一のままであるが、輝度が変化したため、所定のスクリーン色温度を生成する混合光は、同一のスクリーン色温度を維持するように調節されてよい。所定の混合光が自動調節されるとき、処理は終了してよい。
【０１０３】
図２４は、開示された対象の１つ以上の態様による日没の遷移中でのスクリーン色温度の自動調節方法のアルゴリズムフローチャートである。
【０１０４】
現在の状態がたとえば１日のうちの時間に基づいて日の出の遷移であるのか否かが判断されてよい。現在の状態が日の出の遷移でない場合、Ｓ２４１５で、現在の状態が、たとえば１日のうちの時間に基づいて日没遷移であるのか否かが判断されてよい。しかし現在の状態が日の出の遷移である場合、Ｓ２４１０で、現在の状態は、第１所定の変化率で自動的に増大してよい。
【０１０５】
Ｓ２４１０では、スクリーン色温度は第１所定の変化率で自動的に増加してよい。第１所定の変化率は、たとえば午前の１９００Ｋから午前７時の６４００Ｋへのスクリーン色温度の増大に基づいてよい。換言すると、色温度が、午前５時での開始色温度にかかわらず午前７時で６４００Ｋに到達できるようにするために、変化率は増大又は減少してよい。たとえば午前５時の１９００Ｋから開始して午前７時の６４００Ｋで終了するデバイスは、午前５時の３８００Ｋから開始して午前７時の６４００Ｋで終了するデバイスよりもゆっくり／徐々に変化してよい。
【０１０６】
Ｓ２４１５では、現在の状態が日没の遷移であるのか否かが判断されてよい。現在の状態が日没遷移でない場合、処理は終了してよい。しかし現在の状態が日没状態である場合、Ｓ２４２０では、スクリーン色温度は、第２所定の変化率で自動的に減少してよい。
【０１０７】
Ｓ２４２０ではスクリーン色温度は、第２所定の変化率で自動的に減少してよい。第２所定の変化率は、午後６時での６４００Ｋから最新の選択就寝時間での１９００Ｋまでのスクリーン色温度の減少に基づいてよい。ここで就寝時間は、初期設定の午後１１時に選択されてよいし、あるいは、午後９時午前３時までの範囲でユーザーによって選択されてよい。スクリーン色温度が第２所定の変化率で自動的に減少するとき、処理は終了してよい。
【０１０８】
図２５は、開示された対象の１つ以上の態様による日没の遷移中でのスクリーン色温度の手動調節に応じた自動スクリーン色温度制御方法のアルゴリズムフローチャートである。
【０１０９】
Ｓ２５０５では、就寝時間が受信されてよい。就寝時間はユーザーによって選択されてよい。その代わりに又はそれに加えて、就寝時間は初期設定時の時間に選択されてよい。
【０１１０】
Ｓ２５１０では、日没の遷移中にスクリーン色温度は、たとえば１日のうちの時間に基づいて手動調節されるのか否かが判断されてよい。スクリーン色温度が日没遷移中に手動調節されない場合、処理は終了してよい。しかし日没遷移中にスクリーン色温度が手動調節される場合、Ｓ２５１５では、手動調節が選択された就寝時間の１時間以内であったか否かが判断されてよい。
【０１１１】
Ｓ２５１５では、スクリーン色温度が選択された就寝時間の１時間以内であったか否かが判断されてよい。スクリーン色温度が選択された就寝時間の１時間以内であった場合、Ｓ２５２０では、Ｓ２５２５において手動調節されたスクリーン色温度からの日没遷移を継続する前に、選択された就寝時間は１時間遅らせてよい。しかしスクリーン色温度が選択された就寝時間の１時間以内でない（が依然として日没遷移の範囲内で手動調節された）場合、Ｓ２５２２では、スクリーン色温度は選択された就寝時間の１時間以内で手動によって減少してよい。
【０１１２】
Ｓ２５２２では、スクリーン色温度が日没遷移内の任意の時間で手動によって減少したのか否かが判断されてよい。スクリーン色温度が減少しなかった場合、処理は終了してよい。しかしスクリーン色温度は手動で減少した場合、Ｓ２５２５では、日没遷移は手動調節されたスクリーン色温度から継続してよい。
【０１１３】
Ｓ２５５５では、日没の遷移は、手動調節されたスクリーン色温度から継続してよい。たとえばユーザーが日没遷移中にスクリーン色温度を手動調節する場合、調節によって、第２所定の変化率の再計算が引き起こされる。ここでは本来の開始点（たとえば午後６時での６４００Ｋ）からの遷移の継続ではなく、手動調節によって、日の出遷移が継続可能な新たな開始点が供される。手動調節されたスクリーン色温度に応じて、日の出遷移は、調節が１９００Ｋのスクリーン色温度にされた時点−たとえば夜間の開始（つまり就寝時間）−で新たな手動調節されたスクリーン温度にて減少を開始した。その代わりに又はそれに加えて、手動調節されたスクリーン色温度が選択された就寝時間の１時間以内でのスクリーン色温度の増大であるときに限り、就寝時間は遅らせてよい。このことは、さらに１時間遅らせることが、１９００Ｋへのより円滑な遷移が供されるという点で有利である理由の説明ともなり得る。遷移が手動調節されたスクリーン色温度から継続したとき、処理は終了してよい。
【０１１４】
図２６は、開示された対象の１つ以上の態様による日の出遷移中での自動スクリーン色温度制御方法のアルゴリズムフローチャートである。
【０１１５】
Ｓ２６０５では、日の出の遷移中にスクリーン色温度が手動で増加されるのか否かが判断されてよい。スクリーン色温度が日の出遷移中に増大する場合、Ｓ２６２０では、遷移は手動調節されたスクリーン色温度から継続してよい。しかしスクリーン色温度が日の出遷移中に増大しないと判断される場合、Ｓ２６１０では、スクリーン色温度が日の出遷移中に手動で増大するのか否かが判断されてよい。
【０１１６】
Ｓ２６１０では、スクリーン色温度が、日の出遷移中により低いスクリーン色温度に手動で減少するのか否かが判断されてよい。スクリーン色温度が日の出遷移中に手動で減少しない場合、処理は終了してよい。しかしスクリーン色温度が日の出遷移中に手動で減少する場合、日中状態の開始は１時間遅らせてよい。スクリーン色温度の手動減少は、日中状態の開始を遅らせるように、日の出遷移中の任意の時間に起こってよい。
【０１１７】
Ｓ２６２０では、日の出遷移は、手動調節されたスクリーン色温度から継続してよい。たとえば日の出遷移は、スクリーン色温度が調節され、かつ、そのスクリーン色温度から６４００Ｋへ遷移する時間−日中状態の開始−でのスクリーン色温度から開始してよい。日の出遷移が手動調節されたスクリーン色温度から継続された後、処理は終了してよい。
【０１１８】
図２７は、開示された対象の１つ以上の態様による日中での自動スクリーン色温度制御方法のアルゴリズムフローチャートである。
【０１１９】
スクリーン色温度が、たとえば１日のうちの時間に基づいて日中状態の間に手動調節されるのか否かが判断されてよい。スクリーン色温度が日中状態中に調節されない場合、処理は終了してよい。しかしスクリーン色温度が日中状態中に手動調節される場合、Ｓ２７１０において、手動調節されたスクリーン色温度は、日中状態の終了まで表示されてよい。
【０１２０】
Ｓ２７１０では、手動調節されたスクリーン色温度は、日中状態の終了まで表示されてよい。
【０１２１】
Ｓ２７１５では、日没遷移の開始点は日中状態から手動調節されたスクリーン色温度であってよい。手動調節されたスクリーン色温度が日没遷移の開始点になるとき、処理は終了してよい。
【０１２２】
図２８は、開示された対象の１つ以上の態様による夜間での自動スクリーン色温度制御方法のアルゴリズムフローチャートである。
【０１２３】
Ｓ２８０５では、夜間にスクリーン色温度は手動調節されるか否かが判断されてよい。スクリーン色温度が夜間に調節されない場合、処理は終了してよい。しかしスクリーン色温度が夜間に手動調節される場合、Ｓ２８１０では、手動調節されたスクリーン色温度は、夜間状態の終了まで表示されてよい。
【０１２４】
Ｓ２８１０では、手動調節されたスクリーン色温度は、夜間状態の終了まで表示されてよい。
【０１２５】
Ｓ２８１５では、日の出遷移の開始点は夜間状態から手動調節されたスクリーン色温度であってよい。手動調節されたスクリーン色温度が日の出遷移の開始点になるとき、処理は終了してよい。
【０１２６】
図２９は、開示された対象の１つ以上の態様によるスクリーン色温度が手動で１９００Ｋ未満に調節されるときの自動スクリーン色温度制御方法のアルゴリズムフローチャートである。
【０１２７】
Ｓ２９０５では、スクリーン色温度が１９００Ｋ未満に手動調節されるのか否かが判断されてよい。スクリーン色温度が１９００Ｋ未満に手動調節されない場合、処理は終了してよい。しかしスクリーン色温度が１９００Ｋ未満に手動調節される場合、１９００Ｋ未満に手動調節されたスクリーン色温度は、次の日の出遷移の開始まで表示されてよい。
【０１２８】
Ｓ２９１０では、スクリーン色温度が１９００Ｋ未満に手動調節された１日又は状態のうちの時間に関係なく、手動調節されたスクリーン色温度は、次の日の出遷移の開始まで表示されてよい。
【０１２９】
Ｓ２９１５では、次の日の出遷移の開始点は、１９００Ｋ未満に手動調節されたスクリーン色温度であってよい。１９００Ｋ未満に手動調節されたスクリーン色温度が日の出遷移の開始点であるとき、処理は終了してよい。
【０１３０】
図３０は、開示された対象の１つ以上の態様による１つのユーザー入力に応じた自動輝度制御方法のアルゴリズムフローチャートである。
【０１３１】
Ｓ３００５では、検出された周辺光レベルに対応する周辺光センサからの信号が受信されてよい。検出された周辺光レベルは、電子リーダーデバイスの周辺領域での周辺光の量であってよい。
【０１３２】
Ｓ３０１０では、初期設定時の輝度レベルが、検出された周辺光レベルに応じて自動的に表示されてよい。初期設定時の輝度レベルはたとえば、周辺光レベルの５％超であってよい。
【０１３３】
Ｓ３０１５では、輝度レベルが手動調節されるのか否かが判断されてよい。それに加えて、一の態様では、輝度レベルが初期設定の値とは異なる値に調節されるのか否かが判断されてよい。輝度レベルが手動調節されない場合、処理は終了してよい。しかし輝度レベルが手動調節される場合、Ｓ３０２０では、周辺光レベルが５％未満のときに輝度レベルは５％未満に手動調節されるのか否かが判断されてよい。周辺光レベルが５％未満のときに輝度レベルは５％未満に手動調節されない（が輝度レベルは依然としてＳ３０１５で手動調節される）場合、Ｓ３０２５では、（手動調節に基づく）相対輝度レベルは、周辺光が変化するときに自動調節されてよい。
【０１３４】
Ｓ３０３０では、好適相対設定が、ユーザーの好適相対輝度レベルに更新されてよい。それに加えてユーザーの好適相対輝度レベルを好適相対設定へ更新することは任意であってよい。たとえばユーザーが輝度レベルを手動で減少する場合、設定は一時的であってユーザーの好適相対輝度レベルに更新されなくてよい。
【０１３５】
Ｓ３０２０では、周辺光レベルが５％未満のときに輝度レベルが手動で５％未満に調節される場合、Ｓ３０３５では、５％未満に手動調節された輝度レベルは、最小設定に更新されてよい。Ｓ３０３５では、最小設定が更新されるとき、処理は終了してよい。
【０１３６】
図３１は、開示された対象の１つ以上の態様による２つのユーザー入力に応じた自動輝度制御方法のアルゴリズムフローチャートである。
【０１３７】
Ｓ３１０５では、低い周辺光の好適輝度レベルが受信されてよい。低い周辺光の好適輝度レベルは、周辺光レベルが５０％未満のときに対応し得る。
【０１３８】
Ｓ３１１０では、高い周辺光の好適輝度レベルが受信されてよい。高い周辺光の好適輝度レベルは、５０％以上の周辺光レベルに対応し得る。
【０１３９】
Ｓ３１１５では、輝度レベルが低い周辺光の好適輝度レベルと高い周辺光の好適輝度レベルとの間で遷移する割合が設定されてよい。遷移割合は、周辺光レベルが変化するときの、低周辺光での好適相対輝度から高周辺光での好適相対輝度への遷移の計算に対応し得る。周辺光の変化に応じて低周辺光での好適相対輝度から高周辺光での好適相対輝度への遷移が起こる割合が設定されるとき、処理は終了してよい。高周辺光及び低周辺光についての好適相対設定は、好適相対設定に更新され、かつ、将来の利用のために格納されてよい。それに加えて、輝度レベルが低周辺光での好適相対輝度よりも低いときに、輝度レベルは周辺光の変化に比例して調節される。同様に輝度レベルが低周辺光での好適相対輝度よりも高いときに、輝度レベルは周辺光の変化に比例して調節される。ある実施形態では、スクリーン輝度レベルが低周辺光での好適相対輝度よりも低いときに、それに比例して変化する場合、スクリーン輝度レベルは５％未満になってはならない（たとえば５％未満に手動調節されない場合は除く）。その結果、たとえば図１０Ｂに示されているように、スクリーン輝度が周辺光レベルに対して比例して増大し始めるまで周辺光が変化することで、スクリーン輝度は５％のままとなり得る。同様にたとえば図１０Ｂに示されているように、たとえ周辺光レベルが依然として増大していてもスクリーン輝度が高低周辺光での好適輝度レベルを超えたところで比例して増大するときには、スクリーン輝度は１００％の上限となり得る。ある実施形態では、低周辺光での好適輝度レベルが５％未満に設定されるとき、低周辺光での好適輝度レベルから高周辺光での好適輝度レベルへの所定の変化率に基づいて輝度レベルが変化するように、変化率は計算される。その結果、たとえば図１０Ｃに示されているように、スクリーン輝度が低周辺光での好適輝度レベル未満であるときには、スクリーン輝度は、比例して増大することはできない。その理由は、スクリーン輝度は、高周辺光での好適輝度レベルへ向かって所定の割合で増大し始めるからである。ある実施形態では、低周辺光での好適輝度レベル及び高周辺光での好適輝度レベルの各々はリアルタイムで更新されてよい。その際、好適輝度レベル間での新たな変化率（たとえば更新された好適輝度レベル）が、好適輝度レベルのいずれかの変化に応じて計算される。ある実施形態では、低周辺光での好適輝度レベルから高周辺光での好適輝度レベルへの変化率の計算は、たとえば図１０Ａ乃至図１０Ｃで見られるようにグラフ上の２点間での最短距離の計算に基づいてよい。換言すると、２つのユーザー設定（たとえば１００５，１０１０）間の実線で表された線分の傾きはたとえば、１００５と１０１０との間での周辺光の値の範囲にわたるスクリーン輝度の変化率を表し得る。
【０１４０】
図３２は、開示された対象の１つ以上の態様による周辺光の急激な変化に応じた自動輝度制御方法のアルゴリズムフローチャートである。
【０１４１】
Ｓ３２０５では、周辺光の突然の変化が所定の変化量よりも大きいか否かが判断されてよい。周辺光の突然の変化が所定の変化量よりも大きくない場合、処理は終了してよい。しかし周辺光の突然の変化が所定の変化量よりも大きい場合、Ｓ３２１０において、周辺光センサからの複数のサンプルが平均化されてよい。
【０１４２】
Ｓ３２１０では、周辺光センサからの複数のサンプルが平均化されてよい。周辺光センサからの複数のサンプルの平均をとることで、滑らかな輝度遷移が容易になり得る。
【０１４３】
Ｓ３２１５では、周辺光の突然の変化が周辺光レベルの増加であるのか減少であるのかが判断されてよい。周辺光の突然の変化が周辺光レベルの増加である場合、Ｓ３２２０において、輝度は自動的に第３の所定の変化率に調節されてよい。第３の所定の変化率はたとえば、毎秒１０％の増大に対応してよい。輝度が第３の所定の割合で増大するとき、処理は終了してよい。
【０１４４】
Ｓ３２１５では、周辺光の突然の変化が減少である場合、輝度は自動的に第４の所定の変化率に調節されてよい。第４の所定の変化率はたとえば、毎秒１０％の減少に対応してよい。輝度が第４の所定の変化率で減少するとき、処理は終了してよい。
【０１４５】
図３３は、開示された対象の１つ以上の態様による本開示のある態様による典型的なユーザーデバイスを表す詳細なブロック図である。ある態様では、ユーザーデバイスは電子リーダーデバイスであってよい。しかし当業者は、本願で説明される特徴が、他のデバイス（ラップトップ、タブレット、サーバー、ｅリーダー、カメラ、ナビゲーションデバイス等）上で実装されるように適合し得ることを理解する。図３３の典型的な電子リーダーデバイスは、制御装置３３１０、及び、アンテナ３３０１に接続される無線通信処理装置３３０２を有する。スピーカー３３０４及びマイクロホン３３０５は音声処理装置３３０３に接続される。
【０１４６】
制御装置３３１０は、制御ユニットの例で、１つ以上の中央演算処理装置（ＣＰＵ）を有し、かつ、通信制御、音声信号処理、音声信号処理の制御、静止画及び動画処理と制御、並びに他の種類の信号処理に関連する機能を実行するように電子リーダーデバイス内の各素子を制御してよい。制御装置３３１０は、メモリ３３５０内に格納される命令を実行することによってこれらの機能を実行してよい。メモリ３３５０のローカルストレージの代わりに又はそれに加えて、機能は、ネットワーク上又は非一時的コンピュータ可読媒体上でアクセスされる外部デバイスに格納される命令を用いて実行されてよい。制御装置３３１０は、ディスプレイ制御ユニット、操作管理ユニット、ゲーム管理ユニット等として機能し得る命令を実行してよい。
【０１４７】
メモリ３３５０は、読み取り専用メモリ（ＲＯＭ）、無作為アクセスメモリ（ＲＡＭ）、又は、揮発性メモリと不揮発性メモリの結合を含むメモリアレイを含んでよいが、これらに限定されない。メモリ３３５０は、本開示の処理及びアルゴリズムを実行する間、制御装置３３１０によって作業メモリとして利用されてよい。それに加えてメモリ３３５０は、たとえば画像データ及び情報関連データの長期格納用に用いられてよい。メモリ３３５０は、対戦視界情報、操作視界情報、及び命令のリストを格納するように構成されてよい。
【０１４８】
電子リーダーデバイスは、内部情報ラインとして制御ラインＣＬ及びデータラインＤＬを有してよい。制御装置３３１０から／への制御データは、制御ラインＣＬを介して伝送されてよい。データラインＤＬは、音声データ、ディスプレイデータ等の伝送に用いられてよい。
【０１４９】
アンテナ３３０１は、高周波ベースの通信―たとえば様々な形式の携帯電話通信―を実行するため、基地局間で電磁波信号を送受信する。無線通信処理装置３３０２は、アンテナ３３０１を介して電子リーダーデバイスと他の外部デバイス間で実行される通信を制御する。たとえば無線通信処理装置３３０２は、携帯電話通信用に基地局間の通信を制御してよい。
【０１５０】
スピーカー３３０４は、音声処理装置３３０３から供給される音声データに対応するオーディオ信号を放出する。マイクロホン３３０５は、周囲の音声を検出して、検出した音声を音声信号に変換する。続いて音声信号は、さらなる処理のために音声処理装置３３０３へ出力されてよい。音声処理装置３３０３は、メモリ３３５０から読み取られた音声データ、又は、無線通信処理装置３３０２及び／若しくは短距離無線通信処理装置３３０７によって受信された音声データを復調並びに／又は復号化する。それに加えて音声処理装置３３０３は、マイクロホン３３０５によって得られた音声信号を復号化してよい。
【０１５１】
電子リーダーデバイスはまた、ディスプレイ３３２０、タッチパネル３３３０、操操作キー３３４０、及び、アンテナ３３０６に接続される短距離通信処理装置３３０７をも有してよい。ディスプレイ３３２０は、液晶ディスプレイ（ＬＣＤ）、有機エレクトロルミネッセンスディスプレイデバイス、又は、他のディスプレイスクリーン技術―たとえばｅインクディスプレイ―であってよい。静止画及び動画の表示に加えて、ディスプレイ３３２０は、操作入力−たとえば電子リーダーデバイスの制御に用いられ得る数字又はアイコン−を表示してよい。ディスプレイ３３２０はさらに、ユーザーが電子リーダーデバイス及び／又は他のデバイスの態様を制御するためのＧＵＩを表示してよい。さらにディスプレイ３３２０は、電子リーダーデバイスによって受信され、及び／又は、メモリ３３５０内に格納される、若しくは、ネットワーク上の外部デバイスからアクセスされる、文字並びに画像を表示してよい。たとえば電子リーダーデバイスは、ネットワーク―たとえばインターネット―にアクセスし、ウェブサーバーから送信されるテキスト及び／又は画像を表示してよい。
【０１５２】
タッチパネル３３３０は、物理タッチパネルディスプレイスクリーン、及び、タッチパネルドライバーを有してよい。タッチパネル３３３０は、タッチパネルディスプレイスクリーンの操作表面上の入力操作を検出する１つ以上のタッチセンサを有してよい。タッチパネル３３３０はまたタッチ形状及びタッチ領域をも検出する。本願で用いられている「タッチ操作」は、命令体―たとえば指、親指、又はスタイラス型命令―でタッチパネルディスプレイの操作表面をタッチすることによって実行される入力操作を指称する。スタイラス等がタッチ操作で用いられる場合、スタイラスは、少なくとも該スタイラスの先端部に導電性材料を有してよい。それによりタッチパネル１３０内に含まれるセンサは、（指がタッチ操作に用いられる場合同様）いつスタイラスがタッチパネルディスプレイの操作表面にいつ接近／接触のかを検出してよい。
【０１５３】
本開示のある態様では、タッチパネル３３３０は、ディスプレイ３３２０に隣接して設けられて（たとえば積層されて）よいし、又は、ディスプレイ３３２０と一体形成されてよい。簡明を期すため、本開示は、タッチパネル３３３０がディスプレイ３３２０と一体形成されるので、本願で論じられている例はタッチパネル３３３０ではなくディスプレイ３３２０の表面上で実行されているタッチ操作を表し得ると前提している。しかし当業者はこれが限定ではないことを理解する。
【０１５４】
簡明を期すため、本開示は、タッチパネル３３３０が容量型タッチパネル技術であることを前提としている。しかし本開示の態様は、他の構造を備える他のタッチパネル型（たとえば抵抗型タッチパネル）にも容易に適用され得ることに留意して欲しい。本開示のある態様では、タッチパネル３３３０は、透明センサガラスの表面上のＸ−Ｙ方向に配列される透明電極タッチセンサを有してよい。
【０１５５】
タッチパネルドライバーは、タッチパネル３３３０に関連する制御処理−たとえば走査制御―のため、タッチパネル３３３０内に含まれてよい。たとえばタッチパネルドライバーは、Ｘ方向とＹ方向の静電キャパシタンス透明電極パターンで各センサを走査し、各センサのキャパシタンス値を検出することでいつタッチ操作が実行されるのかを判断してよい。タッチパネルドライバーは、各センサの座標及び対応する静電キャパシタンス値を出力してよい。タッチパネルドライバーはまた、タッチパネルディスプレイスクリーン上の座標にマッピングされ得るセンサ識別子を出力してもよい。それに加えてタッチパネルドライバー及びタッチパネルセンサーは、いつ命令体―たとえば指―が、タッチパネルディスプレイスクリーンの操作表面から所定の距離の範囲内に存在するのかを検出してよい。つまり命令体は必ずしも、命令体を検出して本願で説明される処理を実行するのにタッチセンサのタッチパネルディスプレイスクリーンの操作表面に直接接触する必要はない。たとえばある実施形態では、タッチパネル３３３０は、ディスプレイパネル３３２０の端部周辺のユーザーの指（たとえばディスプレイ／タッチパネルを取り囲む保護ケースをつかんでいる場合）の位置を検出してよい。信号は、たとえばタッチ操作の検出、タイミングがとられたデータ交換に基づく他の素子からのクエリー等に応じて、タッチパネルドライバーによって送信されてよい。
【０１５６】
操作キー３３４０は、検出されたユーザーによる入力に基づいて操作信号を生成し得る１つ以上のボタン又は同様の外部制御素子を有してよい。タッチパネル３３３０からの出力に加えて、これらの操作信号は、関連する処理及び制御を実行する制御装置３３１０に供給されてよい。本開示のある態様では、外付けボタン等に係る処理及び／又は機能は、外付けボタン、キー等ではなくタッチパネル３３３０のディスプレイスクリーン上の入力操作に応じて制御装置３３１０によって実行されてよい。このようにして、電子リーダーデバイスの外付けボタンは、タッチ操作による入力の実行に代えられることで省略されてよい。その結果耐水性が改善され得る。
【０１５７】
アンテナ３３０６は、他の外部装置からの電磁波信号の受信／他の外部装置への電磁波信号の送信を行い、かつ、短距離無線通信処理装置３３０７は、他の外部装置間で実行される無線通信を制御してよい。Ｂｌｕｅｔｏｏｔｈ（登録商標）、ＩＥＥＥ８０２．１１、及び近赤外通信（ＮＦＣ）は、短距離無線通信処理装置３３０７を介したデバイス間通信に使用可能な無線通信プロトコルの非限定的な例である。電子リーダーデバイスは運動センサ３３０８を有してよい。運動センサ３３０８は、電子リーダーデバイスの運動の特徴（つまり１つ以上の動き）を検出してよい。たとえば運動センサ３３０８は、電子リーダーデバイスの運動を検出するため、加速度を検出する加速度計、角速度を検出するジャイロスコープ、方向を検出する地磁気センサ、位置を検出する地理位置特定センサ（ｇｅｏ−ｌｏｃａｔｉｏｎ  ｓｅｎｓｏｒ）、又は、これらの結合を有してよい。ある実施形態では、運動センサ３３０８は、検出された運動を表すデータを含む検出信号を生成してよい。たとえば運動センサ３３０８は、運動における（たとえば一連の動きの開始から終了まで、所定の時間間隔内等での）離散的な動きの数、電子リーダーデバイス上での物理的衝撃の数（たとえば電子デバイスの振動、衝突等）、運動の速さ及び／若しくは加速度、又は他の運動の特徴を決定してよい。検出された運動の特徴は、生成された検出信号内に含まれてよい。検出信号は、たとえば制御装置３３１０へ送信されてよい。制御装置３３１０によって、さらなる処理が、検出信号に含まれるデータに基づいて実行されてよい。運動センサ３３０８は、全地球測位システム（ＧＰＳ）部３３６０と協働してよい。ＧＰＳ部３３６０は、電子リーダーデバイス１００の現在位置を検出する。ＧＰＳ部３３６０によって検出される現在位置の情報は、制御装置３３１０へ送信される。アンテナ３３６１は、ＧＰＳ衛星に対して信号を送受信するため、ＧＰＳ部３３６０に接続される。
【０１５８】
電子リーダーデバイスは、カメラ部３３０９を有してよい。カメラ部３３０９は、電子リーダーデバイス周辺の写真を取り込むレンズ及びシャッターを有する。ある実施形態では、カメラ部３３０９は、ユーザーから電子リーダーデバイスの反対側の周辺を取り込む。取り込まれた写真の画像は、ディスプレイパネル３３２０上に表示されてよい。メモリ部は取り込まれた写真を保存する。メモリ部は、カメラ部３３０９内部に存在してもよいし、メモリ３３５０の一部であってもよい。カメラ部３３０９は、電子リーダーデバイスに取り付けられた別個の機能部分であってよいし、あるいは組み込みカメラ機能部分であってもよい。
【０１５９】
ある実施形態によると、情報処理デバイスは、筐体、ディスプレイスクリーン、該ディスプレイスクリーンにわたって供される多色の照明素子の組、１組の命令を格納するメモリ、及び、メモリ内に格納される命令を使用する１つ以上の処理装置を有する。１つ以上の処理装置は、ディスプレイスクリーン上の電子書籍からのコンテンツをレンダリングし、１つ以上の所定の照明トリガを検出する。応答では、１つ以上の処理装置は、検出された１つ以上の所定の照明トリガに基づいて色を選択する。ディスプレイスクリーンは、多色の照明素子の組を用いて選択された色で照明がなされてよい。
【０１６０】
さらに一部の実施形態では、１つ以上の処理装置は、第１の状況で少なくとも第１色で多色の照明素子の組の照明、及び、第２の状況で少なくとも第２色で多色の照明素子の組の照明を誘発する。
【０１６１】
本願で説明する実施形態では、情報処理デバイスによって実行される方法、技術、及び処理が、プログラムによって又はコンピュータで実施された方法として実行される。「プログラムによって」は、コードの使用又はコンピュータによって実行可能な命令によることを意味する。プログラムによって実行される段階は自動であってもよいし自動でなくてもよい。
【０１６２】
本願で説明する１つ以上の実施形態は、プログラムモジュール又はプログラムコンポーネントを用いて実施されてよい。プログラムモジュール又はプログラムコンポーネントは、プログラム、サブルーチン、プログラムの一部分、又は、１つ以上の指定された処理若しくは機能を実行できるソフトウエアコンポーネント又はハードウエア構成要素を含んでよい。本願で用いられているように、あるモジュール又はコンポーネントは、他のモジュール又はコンポーネントとは独立してハードウエア構成要素上に存在してよい。あるいはその代わりに、あるモジュール又はコンポーネントは、他のモジュール、プログラム、若しくは機械の共有された要素又は処理であってよい。
【０１６３】
さらに本願で説明する１つ以上の実施形態は、１つ以上のプロセッサによって実行可能な命令を介して実施されてよい。これらの命令はコンピュータ可読媒体上で保持されてよい。以降で図によって示され又は説明される機械は、本発明の実施形態を実施するための命令が保持及び／又は実行され得る処理資源並びにコンピュータ可読媒体の例を供する。具体的には、本発明の実施形態によって示される多数の機械は、データ及び命令を保持する（複数の）プロセッサ並びに様々な形態のメモリを含む。コンピュータ可読媒体の例は、永久メモリストレージデバイス−たとえばパーソナルコンピュータ又はサーバー上のハードドライブ−を含む。コンピュータ可読媒体の他の例は、携帯式ストレージユニット−たとえばＣＤ又はＤＶＤユニット−、（たとえば多くの携帯電話及び消費者向け電子デバイス上に搭載されている）フラッシュメモリ又はソリッドステートドライブ、及び磁気メモリを含む。コンピュータ、ターミナル、ネットワーク対応デバイス（たとえば携帯電話のような携帯式デバイス）は、プロセッサ、メモリ、及び、コンピュータ可読媒体上に格納された命令を利用する機械並びにデバイスのすべての例である。それに加えて本願の実施形態は、コンピュータプログラム又はそのようなプログラムを保持可能なコンピュータ利用可能なキャリア媒体で実施されてよい。
【０１６４】
開示された対象についての説明が、単なる例示による説明であって限定ではないことは当業者には明らかである。よってたとえ特定の構成が説明されてきたとしても、他の構成が用いられてよい。多数の修正型及び他の実施形態（たとえば組み合わせ、再構成等）は、本開示によって可能であり当業者が想到し得る範囲内で、かつ、開示された対象及びその均等物の範囲内に属することが予想される。開示された実施形態の特徴は、結合、再構成、省略等されることで、本発明の範囲内でさらなる実施形態を生成し得る。さらにある特徴が、対応する他の特徴を用いることなく利点を奏するのに用いられてよい。したがって（複数の）出願人は、開示された対象の技術的思想の範囲内であるそのような代替型、修正型、均等物及び変化型を含むことを意図する。
【０１６５】
（１）  調節可能ＲＧＢＷ前面光源、周辺光センサ、前記周辺光からの輝度レベルに相当する信号を受け、現在のスクリーン色温度に相当する信号を受け、前記輝度レベル又は前記現在のスクリーン色温度のうちの少なくとも一に基づいて所定の混合光を計算するように構成される回路を有するデバイスであって、前記計算により、前記現在のスクリーン色温度は、前記輝度レベルにかかわらず同一のままとなり、前記調節可能ＲＧＢＷ前面光源によって前記所定の混合光を表示することが可能となる、デバイス。
【０１６６】
（２）  （１）に記載のデバイスであって、前記現在のスクリーン色温度は、１日のうちの時間に基づいて自動的に変化する、デバイス。
【０１６７】
（３）  （１）乃至（２）に記載のデバイスであって、前記所定の混合光は、前記現在のスクリーン色温度に応じて変化する、デバイス。
【０１６８】
（４）  （１）乃至（３）に記載のデバイスであって、前記輝度レベルは、１日のうちの時間に基づいて自動的に変化する、デバイス。
【０１６９】
（５）  （１）乃至（４）に記載のデバイスであって、前記所定の混合光は、前記輝度レベルの変化に応じて変化する、デバイス。
【０１７０】
（６）  （１）乃至（５）に記載のデバイスであって、前記現在のスクリーン色温度は、前記輝度レベルの変化に応じて変化しない、デバイス。
【０１７１】
（７）  （１）乃至（６）に記載のデバイスであって、前記現在のスクリーン色温度は、１５００Ｋ乃至６４００Ｋを含む、デバイス。
【０１７２】
（８）  （１）乃至（７）に記載のデバイスであって、前記現在のスクリーン色温度の各々は、対応するＲＧＢＷ値を有する、デバイス。
【０１７３】
（９）  （１）乃至（８）に記載のデバイスであって、前記現在のスクリーン色温度の各々は、各輝度レベルについて対応するＲＧＢＷ値を有し、前記現在のスクリーン色温度のいずれも、いずれの輝度レベルについてＲＧＢＷ値を有するように、前記輝度レベルは、０％の輝度乃至１００％の輝度を含む、デバイス。
【０１７４】
（１０）  （１）乃至（９）に記載のデバイスであって、前記所定の混合光は、前記スクリーン色温度が同一であるときに輝度の変化が前記ユーザーにとって明らかにならないように、前記調節可能なＲＧＢＷ前方光によってリアルタイムで表示される、デバイス。
【０１７５】
（１１）  ＲＧＢＷ前面光源を用いたスクリーン色温度制御方法であって、電子リーダーデバイス内に設けられた周辺光センサから輝度レベルに相当する信号を受ける段階、前記電子リーダーデバイスのディスプレイ上に表示される現在のスクリーン色温度に相当する信号を受ける段階、前記輝度レベル又は前記現在のスクリーン色温度のうちの少なくとも一に基づいて所定の混合光を計算することで前記輝度レベルにかかわらず前記現在のスクリーン色温度を同一に保持する段階、調節可能ＲＧＢＷ前面光源によって前記所定の混合光を表示する段階を有する方法。
【０１７６】
（１２）  （１１）に記載の方法であって、前記現在のスクリーン色温度は、１日のうちの時間に基づいて自動的に変化する、方法。
【０１７７】
（１３）  （１１）乃至（１２）に記載の方法であって、前記所定の混合光は、前記現在のスクリーン色温度に応じて変化する、方法。
【０１７８】
（１４）  （１１）乃至（１３）に記載の方法であって、前記輝度レベルは、１日のうちの時間に基づいて自動的に変化する、方法。
【０１７９】
（１５）  （１１）乃至（１４）に記載の方法であって、前記所定の混合光は、前記輝度レベルの変化に応じて変化する、方法。
【０１８０】
（１６）  （１１）乃至（１５）に記載の方法であって、前記現在のスクリーン色温度は、前記輝度レベルの変化に応じて変化しない、方法。
【０１８１】
（１７）  （１１）乃至（１６）に記載の方法であって、前記現在のスクリーン色温度は、１５００Ｋ乃至６４００Ｋを含む、方法。
【０１８２】
（１８）  （１１）乃至（１７）に記載の方法であって、前記現在のスクリーン色温度の各々は、各輝度レベルについて対応するＲＧＢＷ値を有する、方法。
【０１８３】
（１９）  （１１）乃至（１８）に記載の方法であって、前記現在のスクリーン色温度の各々は、各輝度レベルについて対応するＲＧＢＷ値を有し、前記現在のスクリーン色温度のいずれも、いずれの輝度レベルについてＲＧＢＷ値を有するように、前記輝度レベルは、０％の輝度乃至１００％の輝度を含む、方法。
【０１８４】
（２０）  （１１）乃至（１９）に記載の方法であって、前記所定の混合光は、前記スクリーン色温度が同一であるときに輝度の変化が前記ユーザーにとって明らかにならないように、前記調節可能なＲＧＢＷ前方光によってリアルタイムで表示される、方法。
【０１８５】
（２１）  調節可能ＲＧＢＷ前面光源、周辺光センサ、夜間状態、日の出遷移状態、日中状態、及び日没遷移状態を含む状態間での遷移が起こったのか否かを判断し、前記状態間での遷移に応じて前記調節可能ＲＧＢＷ前面光源によって所定のスクリーン色温度を自動的に表示し、輝度レベルが変化したのか否かを判断し、かつ、前記スクリーン色温度が前記の変化する輝度レベルに応じて変化しないように前記調節可能ＲＧＢＷ前面光源によって表示される所定の混合光を自動調節するように構成される回路を有する電子リーダーデバイス。
【０１８６】
（２２）  （２１）に記載の電子リーダーデバイスであって、前記夜間状態は、就寝時間から所定の日の出までで、前記就寝時間は、初期設定又はユーザーによって手動選択される、電子リーダーデバイス。
【０１８７】
（２３）  （２１）乃至（２２）に記載の電子リーダーデバイスであって、前記所定の日の出は、１日のうちの手動選択された時間、初期設定、又は、１年を通じて変化する日の出の時間に対応して自動調節される設定を含む、電子リーダーデバイス。
【０１８８】
（２４）  （２１）乃至（２３）に記載の電子リーダーデバイスであって、前記夜間状態の所定のスクリーン色温度は１９００Ｋである、電子リーダーデバイス。
【０１８９】
（２５）  （２１）乃至（２４）に記載の電子リーダーデバイスであって、前記日の出遷移状態は、前記所定の日の出から前記日中状態の開始までで、その際前記所定のスクリーン色温度が、前記日の出遷移状態の開始時での１９００Ｋから前記日中状態の開始時での６４００Ｋへ遷移する、電子リーダーデバイス。
【０１９０】
（２６）  （２１）乃至（２５）に記載の電子リーダーデバイスであって、前記日中状態は、該日中状態の所定の開始から前記日没遷移状態の所定の開始までである、電子リーダーデバイス。
【０１９１】
（２７）  （２１）乃至（２６）に記載の電子リーダーデバイスであって、前記日没遷移状態は、前記所定の日没遷移状態から前記就寝時間までで、前記就寝時間は、前記夜間状態の開始で、その際前記所定のスクリーン色温度が、前記日没遷移状態の開始時での６４００Ｋから前記日没遷移状態の開始時での１９００Ｋへ遷移する、電子リーダーデバイス。
【０１９２】
（２８）  （２１）乃至（２７）に記載の電子リーダーデバイスであって、前記回路はさらに、現在の状態が前記日の出遷移状態であるか否かを判断し、第１所定の変化率で前記スクリーン色温度を自動的に増大させ、前記現在の状態が前記日没遷移状態であるか否かを判断し、かつ、第２所定の変化率で前記スクリーン色温度を自動的に減少させるように構成される、電子リーダーデバイス。
【０１９３】
（２９）  （２１）乃至（２８）に記載の電子リーダーデバイスであって、前記回路はさらに、前記夜間状態の開始に対応前記就寝時間を受け、前記スクリーン色温度が前記日没遷移状態中に手動調節されるか否かを判断し、前記スクリーン色温度が前記の選択された就寝時間の１時間以内に手動増大するか否かを判断し、前記スクリーン色温度が前記の選択された就寝時間の１時間以内に手動増大するときに前記の選択された就寝時間を１時間遅らせ、前記スクリーン色温度が前記日没遷移状態中に手動減少するか否かを判断し、かつ、前記の手動調節されたスクリーン色温度からの前記日没遷移での遷移を継続するように構成される、電子リーダーデバイス。
【０１９４】
（３０）  （２１）乃至（２９）に記載の電子リーダーデバイスであって、前記回路はさらに、前記スクリーン色温度が前記日没遷移状態中に手動増大するか否かを判断し、前記スクリーン色温度が前記日の出遷移状態中に手動減少するか否かを判断し、前記スクリーン色温度が前記日の出遷移中に手動減少するときに前日中状態の開始を１時間遅らせ、かつ、前記の手動調節されたスクリーン色温度からの前記日の出状態での遷移を継続するように構成される、電子リーダーデバイス。
【０１９５】
（３１）  （２１）乃至（３０）に記載の電子リーダーデバイスであって、前記回路はさらに、前記スクリーン色温度が前記日中状態中に手動調節されるか否かを判断し、前記日中状態が終了するまで前記の手動調節されたスクリーン色温度を表示し、かつ、前記日没遷移状態の開始点を前記の手動調節されたスクリーン色温度にするように構成される、電子リーダーデバイス。
【０１９６】
（３２）  （２１）乃至（３１）に記載の電子リーダーデバイスであって、前記回路はさらに、前記スクリーン色温度が前記夜間状態中に手動調節されるか否かを判断し、前記夜間状態が終了するまで前記の手動調節されたスクリーン色温度を表示し、かつ、前記日の出遷移状態の開始点を前記の手動調節されたスクリーン色温度にするように構成される、電子リーダーデバイス。
【０１９７】
（３３）  （２１）乃至（３２）に記載の電子リーダーデバイスであって、前記回路はさらに、前記スクリーン色温度が１９００Ｋ未満に手動調節されるか否かを判断し、次の日の出遷移が開始するまで前記の手動調節されたスクリーン色温度を表示し、かつ、前記次の日の出遷移の開始点を前記の手動調節されたスクリーン色温度にするように構成される、電子リーダーデバイス。
【０１９８】
（３４）  処理回路によって、調節可能ＲＧＢＷ前面光源、周辺光センサ、夜間状態、日の出遷移状態、日中状態、及び日没遷移状態を含む状態間での遷移が起こったのか否かを判断する段階、処理回路を介して前記状態間での遷移に応じて前記調節可能ＲＧＢＷ前面光源によって所定のスクリーン色温度を自動的に表示する段階、処理回路を介して、周辺光センサが受けた輝度情報に基づいて輝度レベルが変化したのか否かを判断する段階、及び、前記スクリーン色温度が前記の変化する輝度レベルに応じて変化しないように前記調節可能ＲＧＢＷ前面光源によって表示される所定の混合光を自動調節する段階を有する方法。
【０１９９】
（３５）  （３４）に記載の方法であって、前記夜間状態は、就寝時間から所定の日の出までで、前記就寝時間は、初期設定又はユーザーによって手動選択され、前記所定の日の出は、１日のうちの手動選択された時間、初期設定、又は、１年を通じて変化する日の出の時間に対応して自動調節される設定を含む、方法。
【０２００】
（３６）  （３４）乃至（３５）に記載の方法であって、前記夜間状態の所定のスクリーン色温度は１９００Ｋである、方法。
【０２０１】
（３７）  （３４）乃至（３６）に記載の方法であって、前記日の出遷移状態は、前記所定の日の出から前記日中状態の開始までで、その際前記所定のスクリーン色温度が、前記日の出遷移状態の開始時での１９００Ｋから前記日中状態の開始時での６４００Ｋへ遷移し、前記日中状態は、該日中状態の所定の開始から前記日没遷移状態の所定の開始までで、前記日没遷移状態は、前記所定の日没遷移状態から前記就寝時間までで、前記就寝時間は、前記夜間状態の開始で、その際前記所定のスクリーン色温度が、前記日没遷移状態の開始時での６４００Ｋから前記日没遷移状態の開始時での１９００Ｋへ遷移する、方法。
【０２０２】
（３８）  （３４）乃至（３７）に記載の方法であって、現在の状態が前記日の出遷移状態であるか否かを判断する段階、第１所定の変化率で前記スクリーン色温度を自動的に増大させる段階、前記現在の状態が前記日没遷移状態であるか否かを判断する段階、及び、第２所定の変化率で前記スクリーン色温度を自動的に減少させる段階をさらに有する、方法。
【０２０３】
（３９）  （３４）乃至（３８）に記載の方法であって、前記夜間状態の開始に対応前記就寝時間を受ける段階、前記スクリーン色温度が前記日没遷移状態中に手動調節されるか否かを判断する段階、前記スクリーン色温度が前記の選択された就寝時間の１時間以内に手動増大するか否かを判断する段階、前記スクリーン色温度が前記の選択された就寝時間の１時間以内に手動増大するときに前記の選択された就寝時間を１時間遅らせる段階、前記スクリーン色温度が前記日没遷移状態中に手動減少するか否かを判断する段階、及び、前記の手動調節されたスクリーン色温度からの前記日没遷移での遷移を継続する段階をさらに有する、方法。
【０２０４】
（４０）  （３４）乃至（３９）に記載の方法であって、前記スクリーン色温度が前記日没遷移状態中に手動増大するか否かを判断する段階、前記スクリーン色温度が前記日の出遷移状態中に手動減少するか否かを判断する段階、前記スクリーン色温度が前記日の出遷移中に手動減少するときに前日中状態の開始を１時間遅らせる段階、及び、前記の手動調節されたスクリーン色温度からの前記日の出状態での遷移を継続する段階をさらに有する、方法。
【図１Ａ】
2019526830.tif 000003
【図１Ｂ】
2019526830.tif 000004
【図２】
2019526830.tif 000005
【図３Ａ】
2019526830.tif 000006
【図３Ｂ】
2019526830.tif 000007
【図４Ａ】
2019526830.tif 000008
【図４Ｂ】
2019526830.tif 000009
【図４Ｃ】
2019526830.tif 000010
【図５Ａ】
2019526830.tif 000011
【図５Ｂ】
2019526830.tif 000012
【図５Ｃ】
2019526830.tif 000013
【図６Ａ】
2019526830.tif 000014
【図６Ｂ】
2019526830.tif 000015
【図６Ｃ】
2019526830.tif 000016
【図７Ａ】
2019526830.tif 000017
【図７Ｂ】
2019526830.tif 000018
【図８Ａ】
2019526830.tif 000019
【図８Ｂ】
2019526830.tif 000020
【図８Ｃ】
2019526830.tif 000021
【図９】
2019526830.tif 000022
【図１０Ａ】
2019526830.tif 000023
【図１０Ｂ】
2019526830.tif 000024
【図１０Ｃ】
2019526830.tif 000025
【図１１Ａ】
2019526830.tif 000026
【図１１Ｂ】
2019526830.tif 000027
【図１２Ａ】
2019526830.tif 000028
【図１２Ｂ】
2019526830.tif 000029
【図１２Ｃ】
2019526830.tif 000030
【図１３Ａ】
2019526830.tif 000031
【図１３Ｂ】
2019526830.tif 000032
【図１３Ｃ】
2019526830.tif 000033
【図１４Ａ】
2019526830.tif 000034
【図１４Ｂ】
2019526830.tif 000035
【図１５Ａ】
2019526830.tif 000036
【図１５Ｂ】
2019526830.tif 000037
【図１６】
2019526830.tif 000038
【図１７】
2019526830.tif 000039
【図１８】
2019526830.tif 000040
【図１９Ａ】
2019526830.tif 000041
【図１９Ｂ】
2019526830.tif 000042
【図１９Ｃ】
2019526830.tif 000043
【図１９Ｄ】
2019526830.tif 000044
【図２０】
2019526830.tif 000045
【図２１】
2019526830.tif 000046
【図２２】
2019526830.tif 000047
【図２３】
2019526830.tif 000048
【図２４】
2019526830.tif 000049
【図２５】
2019526830.tif 000050
【図２６】
2019526830.tif 000051
【図２７】
2019526830.tif 000052
【図２８】
2019526830.tif 000053
【図２９】
2019526830.tif 000054
【図３０】
2019526830.tif 000055
【図３１】
2019526830.tif 000056
【図３２】
2019526830.tif 000057
【図３３】
2019526830.tif 000058
【国際調査報告】
2019526830.tif 000059
2019526830.tif 000060